(57)【要約】  いくつかの例示的な実施形態は、哺乳類の体内に埋め込まれたデバイスを介して、毛様体筋の動きおよび/または力を感知し、および/または毛様体筋の動きおよび/または力を信号および/または所定の出力形態に変換するステップを含み得るおよび/または前記ステップに関係し得る活動に適合されたシステム、機械、デバイス、製造、回路、組成物、および/または前記活動のための機械実装可能命令を含む方法および/または機械可読媒体を実現することができる。
2015519932.tif 000002
【特許請求の範囲】
【請求項１】
埋め込み可能な毛様体筋動きセンサと、
眼構造に接続し、前記毛様体筋によって発生した力学的な力を動力に変換するように適合された埋め込み可能な毛様体筋力変換装置とを備えるデバイス。
【請求項２】
前記埋め込み可能な毛様体筋力変換装置は、磁石を備える請求項1に記載のデバイス。
【請求項３】
前記埋め込み可能な毛様体筋力変換装置は、コイルを備える請求項1に記載のデバイス。
【請求項４】
前記埋め込み可能な毛様体筋力変換装置は、バネを備える請求項1に記載のデバイス。
【請求項５】
前記埋め込み可能な毛様体筋力変換装置は、油圧ピストンを備える請求項1に記載のデバイス。
【請求項６】
前記埋め込み可能な毛様体筋力変換装置は、油圧弁を備える請求項1に記載のデバイス。
【請求項７】
前記埋め込み可能な毛様体筋力変換装置は、複数のナノワイヤを備える請求項1に記載のデバイス。
【請求項８】
前記埋め込み可能な毛様体筋力変換装置は、圧電ストリップを備える請求項1に記載のデバイス。
【請求項９】
前記埋め込み可能な毛様体筋力変換装置は、前記毛様体筋に取り付けるように適合される請求項1に記載のデバイス。
【請求項１０】
前記埋め込み可能な毛様体筋力変換装置は、嚢赤道部に取り付けられる請求項1に記載のデバイス。
【請求項１１】
前記埋め込み可能な毛様体筋力変換装置は、1つまたは複数の小帯に取り付けるように適合される請求項1に記載のデバイス。
【請求項１２】
前記埋め込み可能な毛様体筋力変換装置は、前記眼の嚢の内側に留置されるように適合される請求項1に記載のデバイス。
【請求項１３】
前記毛様体筋の動きを感知するように適合されている可変抵抗器をさらに備える請求項1に記載のデバイス。
【請求項１４】
埋め込み可能な毛様体筋動きセンサを備えるデバイス。
【請求項１５】
前記埋め込み可能な毛様体筋動きセンサは、前記毛様体筋に取り付けるように適合される請求項14に記載のデバイス。
【請求項１６】
前記埋め込み可能な毛様体筋動きセンサは、1つまたは複数の小帯に取り付けるように適合される請求項14に記載のデバイス。
【請求項１７】
前記埋め込み可能な毛様体筋動きセンサは、前記眼の嚢の内側に留置されるように適合される請求項14に記載のデバイス。
【請求項１８】
前記埋め込み可能な毛様体筋動きセンサは、毛様体筋力変換装置に取り付けるように適合される請求項14に記載のデバイス。
【請求項１９】
複数の活動を含む方法であって、
哺乳類体内に埋め込まれたデバイスを介して毛様体筋の力を所定の形態の動力に変換するステップを含む方法。
【請求項２０】
複数の活動を含む方法であって、
哺乳類体内に埋め込まれたデバイスを介して毛様体筋の動きを感知するステップを含む方法。
【請求項２１】
複数の活動を含む方法であって、
哺乳類体内に埋め込まれたデバイスを介して毛様体筋の力を感知するステップを含む方法。
【請求項２２】
毛様体筋力を電力に変換するように適合された回路。
【請求項２３】
毛様体筋の動きを感知するように適合された回路。
【請求項２４】
使用者の眼の中に埋め込まれた電気活性レンズと、
前記電気活性レンズの屈折力を制御するように適合された制御回路と、
送信機から信号を受信するように適合された受信機であって、前記送信機は所定の信号を前記受信機に送信するように適合され、前記所定の信号は前記電気活性レンズの屈折力を調節することを前記受信機に行わせるように適合されている、受信機とを備えるシステム。
【請求項２５】
第1の送信機であって、
使用者の所定の第1の指によって操作され、
第1の信号を眼科用デバイスの1つまたは複数の受信機に、前記第1の送信機が前記1つまたは複数の受信機の所定の近傍内に入っているときにワイヤレス方式で送信するステップであって、前記眼科用デバイスは前記使用者体内に埋め込まれるか、または前記使用者によって着用され、前記第1の信号は前記使用者に第1の所定の視覚的状況を伝えることを前記眼科用デバイスに行わせるように適合されている、ステップを実行するように適合された、第1の送信機と、
第2の送信機であって、
前記使用者の所定の第2の指によって操作され、
第2の信号を前記1つまたは複数の受信機に、前記第2の送信機が前記1つまたは複数の受信機の所定の近傍内に入っているときにワイヤレス方式で送信するステップであって、前記第2の信号は前記使用者に第2の所定の視覚的状況を伝えることを前記眼科用デバイスに行わせるように適合されている、ステップを実行するように適合された第2の送信機とを備えるシステム。
【請求項２６】
前記受信機をさらに備える請求項25に記載のデバイス。
【請求項２７】
前記眼科用デバイスをさらに備える請求項25に記載のデバイス。
【請求項２８】
前記受信機は、前記使用者体内に埋め込まれる請求項25に記載のデバイス。
【請求項２９】
前記受信機は、前記使用者の眼の内側に埋め込まれる請求項25に記載のデバイス。
【請求項３０】
前記受信機は、前記使用者の眼に着用される請求項25に記載のデバイス。
【請求項３１】
前記眼科用デバイスは、前記使用者の眼の内側に埋め込まれる請求項25に記載のデバイス。
【請求項３２】
前記眼科用デバイスは、前記使用者の眼に着用される請求項25に記載のデバイス。
【請求項３３】
前記眼科用デバイスは、電気活性レンズを備える請求項25に記載のデバイス。
【請求項３４】
前記第1の送信機は、前記第1の所定の指の中に埋め込まれるように適合される請求項25に記載のデバイス。
【請求項３５】
前記第1の送信機は、前記第1の所定の指に着用されるように適合される請求項25に記載のデバイス。
【請求項３６】
前記第1の送信機は、前記使用者の手で持つように適合される請求項25に記載のデバイス。
【請求項３７】
前記第1の送信機および/または前記第2の送信機は、宝飾品の中に一体化される請求項25に記載のデバイス。
【請求項３８】
前記第1の送信機は、前記第1の信号の送信を引き起こすように適合されたボタンを備える請求項25に記載のデバイス。
【請求項３９】
前記第1の送信機は、電気的エネルギーを前記眼科用デバイスのエネルギー貯蔵デバイスに伝達するように適合される請求項25に記載のデバイス。
【請求項４０】
前記第1の送信機は、前記眼科用デバイスを動作させるのに十分な電気的エネルギーを伝達するように適合される請求項25に記載のデバイス。
【請求項４１】
前記第1の送信機は、1つまたは複数のインダクタンスコイルを備える請求項25に記載のデバイス。
【請求項４２】
前記第1の信号は、前記第1の送信機を識別する請求項25に記載のデバイス。
【請求項４３】
前記第1の送信機は、前記眼科用デバイスの1つまたは複数の液晶を制御するように適合される請求項25に記載のデバイス。
【請求項４４】
前記第1の送信機は、前記眼科用デバイスの1つまたは複数の液晶の光学的状態を変更するように適合される請求項25に記載のデバイス。
【請求項４５】
前記第1の視覚的状況は、前記使用者の両眼に関連付けられる請求項25に記載のデバイス。
【請求項４６】
前記第1の視覚的状況は、前記使用者の片眼のみに関連付けられる請求項25に記載のデバイス。
【請求項４７】
前記第1の視覚的状況は、焦点距離である請求項25に記載のデバイス。
【請求項４８】
前記第1の視覚的状況は、遠焦点距離である請求項25に記載のデバイス。
【請求項４９】
前記第1の視覚的状況は、近焦点距離である請求項25に記載のデバイス。
【請求項５０】
前記第1の視覚的状況は、変化する焦点距離である請求項25に記載のデバイス。
【請求項５１】
前記第1の視覚的状況は、屈折力である請求項25に記載のデバイス。
【請求項５２】
前記第1の視覚的状況は、視力矯正の欠如である請求項25に記載のデバイス。
【請求項５３】
使用者の所定の第1の指によって操作されるように適合された第1の送信機から、
第1の信号を眼科用デバイスの1つまたは複数の受信機に、前記第1の送信機が前記1つまたは複数の受信機の所定の近傍内に入っているときにワイヤレス方式で送信するステップであって、前記眼科用デバイスは前記使用者体内に埋め込まれるか、または前記使用者によって着用され、前記第1の信号は前記使用者に第1の所定の視覚的状況を伝えることを前記眼科用デバイスに行わせるように適合されている、ステップと、
前記使用者の所定の第2の指によって操作されるように適合された第2の送信機から、
第2の信号を前記1つまたは複数の受信機に、前記第2の送信機が前記1つまたは複数の受信機の所定の近傍内に入っているときにワイヤレス方式で送信するステップであって、前記第2の信号は前記使用者に第2の所定の視覚的状況を伝えることを前記眼科用デバイスに行わせるように適合されている、ステップとを含む方法。
【請求項５４】
送信機を備え、前記送信機が、
使用者の指によって操作され、
第1の信号を眼科用デバイスの1つまたは複数の受信機に、前記送信機が前記1つまたは複数の受信機の所定の近傍内に入っているときにワイヤレス方式で送信するステップであって、前記眼科用デバイスは前記使用者体内に埋め込まれるか、または前記使用者によって着用され、前記第1の信号は前記使用者に第1の所定の視覚的状況を伝えることを前記眼科用デバイスに行わせるように適合されている、ステップを実行するように適合された、システム。
【発明の詳細な説明】
【技術分野】
【０００１】
関連出願の相互参照
本出願は、参照によりその全体が本明細書に組み込まれている、2012年4月23日に出願した係属中の米国仮特許出願第61/636,969号(整理番号1149-285)および2013年4月17日に出願した係属中の英国特許出願第1306971.1号(整理番号1149-322)の優先権を主張するものである。
【先行技術文献】
【特許文献】
【０００２】
【特許文献１】米国特許出願公開第20130041235号
【０００３】
さまざまな潜在的な、実現可能な、および/または有用な実施形態は、添付の例示的図面を参照しつつ、いくつかの例示的な実施形態の本明細書で提示されている非限定的で非排他的な説明を通じてより容易に理解されよう。
【図面の簡単な説明】
【０００４】
【図１】例示的な哺乳類の眼の例示的な水晶体の側面図である。
【図２】システムの例示的な一実施形態のブロック図である。
【図３】システムの例示的な一実施形態のブロック図である。
【図４】システムの例示的な一実施形態のブロック図である。
【図５】システムの例示的な一実施形態のブロック図である。
【図６】方法の例示的な一実施形態の流れ図である。
【図７】情報デバイスの例示的な一実施形態のブロック図である。
【発明を実施するための形態】
【０００５】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、哺乳類の体内に埋め込まれたデバイスを介して、毛様体筋の動きおよび/または力を感知し、および/または毛様体筋の動きおよび/または力を信号および/または所定の形態の動力に変換するステップを含み、および/または前記ステップに関係し得る。
【０００６】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
使用者の所定の第1の指によって操作されるように適合された第1の送信機から、
第1の送信機が1つまたは複数の受信機の所定の近傍内に入っているときに第1の信号を眼科用デバイスの1つまたは複数の受信機にワイヤレス方式で送信するステップであって、第1の信号は使用者に第1の所定の視覚的状況を伝えることを眼科用デバイスに行わせるように潜在的に適合されている、ステップを実行するように適合されている、ステップ、および/または
使用者の所定の第2の指によって操作されるように適合された第2の送信機から、
第2の送信機が1つまたは複数の受信機の所定の近傍内に入っているときに第2の信号を1つまたは複数の受信機にワイヤレス方式で送信するステップであって、第2の信号は第2の所定の視覚的状況を使用者に伝えることを眼科用デバイスに行わせるように潜在的に適合されている、ステップを含み、および/または前記ステップに関係し得る。
【０００７】
現在、人間の眼の中に、動作させるために電力を必要とするデバイスを埋め込むことが実現可能である。例えば、現在、眼の中に、眼の調節機能を回復させるために動力を変えることができる光学レンズを埋め込むことが実現可能である。このようなデバイスは、典型的には、動作に電力を必要とする。いくつかのこのようなデバイスは、その意図された機能を実行するためにデバイスを制御するための手段を必要とする。
【０００８】
いくつかの例示的な実施形態は、埋め込み可能なデバイスが動作に外部デバイスを必要としないように眼の内側で動力を発生することができる。いくつかの例示的な実施形態は、1つまたは複数の使用可能な信号を発生して、1つまたは複数の埋め込み可能なデバイスの使用をトリガーし、および/または制御して、光学的集束レンズなどの、それらの目的を達成することができる。
【０００９】
いくつかの例示的な実施形態では、毛様体筋の動力を活用することができる。人間の脳が眼の焦点を変えることを必要とするときに、毛様体筋は作動するよう指令される。この作動は、発電するために、および/または焦点の変更をトリガーする信号を発生するために使用され得る。
【００１０】
毛様体筋は、筋、すなわち小帯によって眼の水晶体に接続されている眼の内側にある輪状筋である。筋肉が作動すると、直径がより小さくなり、小帯へのけん引力が緩み、これにより、水晶体は弛緩して急勾配の曲面形状になり、より大きな屈折力を生じる。筋肉が弛緩すると、輪形状が膨張し、小帯が水晶体を引っ張り、水晶体の湾曲が小さくなり、屈折力が弱くなる。これは、一般に受け入れられている眼の遠近調節の理論であり(すなわち、ヘルムホルツ)、本明細書で使用されているモデルとなる。しかし、眼の調節動作がこのプロセスの反転によって引き起こされることを提案する競合する理論が考察されている(例えば、Schachar)。本明細書の目的に関して、第2の調節の理論が正しいことが証明された場合、本明細書で説明されている概念は、これらの機構が、活用されている、および/または監視されている相反する力を考慮するために調節される必要があることを除き、依然として正当であり、そのようなものとして、機械工学分野の当業者であればこれを遂行するために本明細書で開示されている設計を容易に調節することができることは、読者には明白であろう。
【００１１】
人が眼の水晶体に白内障を形成している場合、水晶体を眼内レンズまたはIOLと称される人工水晶体で置き換えることも可能であろう。眼科白内障外科手術の分野の当業者には知られているように、嚢が開かれ、白内障の水晶体が取り出され、新しいIOLが嚢内に留置され白内障の水晶体を置き換える。治癒した後、毛様体筋は引き続き動作する、すなわち、収縮および拡大する力が発生するが、新しいIOLに影響を及ぼすことはない。より新しい手法は、消費電力が非常に少ない電気活性レンズを眼の中に埋め込み、レンズが屈折力を変化させるものであるが、それでも静止している。
【００１２】
いくつかの例示的な実施形態では、毛様体筋に隣接する位置に、毛様体筋によって生じる力学的な力を動力に変換し、次いで、その動力は、レンズ度数の変更機能を作動させるために使用されるか、または後で使用するために、例えば電池もしくはコンデンサに蓄えられる。埋め込み可能な毛様体筋力変換装置のいくつかの例示的な実施形態は、コイル内で磁石を物理的に移動して電位を発生することによって電力を発生することができるが、他の構造および/または原理も、電力を発生するために使用可能であり、非限定的な一例として、ナノワイヤおよび/または圧電ストリップの圧縮を利用するものが挙げられる。いくつかの例示的な実施形態では、電力を発生することができるが、水力および/または機械バネ力などの他の形態の動力も、発生させることができ、および/または使用することができる。
【００１３】
いくつかの例示的な実施形態では、動力の発生を監視し、および/または発生するこの動力の出現から、このような動力に調節が必要とされていることを示す信号として解釈することができる。いくつかの例示的な実施形態では、可変抵抗器を備え、および/または利用して毛様体筋の動きを感知することができるが、他の方法も使用することができ、非限定的な例として、発電装置に取り付けられた電力センサ(例えば、電圧センサ、電流センサ、近接センサ、流量センサ、圧力センサ、歪みゲージなど)、機構に、または毛様体筋それ自体に取り付けられた圧縮力センサ(例えば、電圧センサ、電流センサ、近接センサ、流量センサ、圧力センサ、歪みゲージなど)などが発生する電力を監視することが挙げられる。
【００１４】
嚢赤道帯部に取り付けられているような、毛様体筋と接触している電力活用および動き感知デバイスも、屈折力変更デバイスおよび/またはその関連する制御機器を取り付ける機械的プラットフォームとして使用され得る。
【００１５】
いくつかの例示的な実施形態において、その代わりに、電力活用デバイスおよび/または動き感知デバイスは、嚢の内側に留置されるものとしてよく、および/または毛様体筋動作は、嚢を毛様体筋に接続する小帯を介してデバイスに伝達され得る。
【００１６】
図1は、調節の機構の一理論を示している。「A」のマークが付けられている側で、毛様体筋5が作動させ、直径がより小さくなり、水晶体10は勾配が最もきつくなる。水晶体10は、嚢15内に封入され、嚢20を介して毛様体筋5に接続される。「R」のマークが付けられている側では、毛様体筋は弛緩し、小帯20が嚢15を引っ張るように直径が増大し、水晶体10が平坦になり、屈折力が小さくなる。
【００１７】
図2は、力学的な力が発生し得る場合を概略として図示している。毛様体筋5bが弛緩すると、おもり25が落下し、毛様体筋5cが作動すると、おもり25が持ち上げられる。
【００１８】
図3および図4は、毛様体筋の動力を活用する例示的な実施形態を示している。
【００１９】
図3において、毛様体筋5bはその最大直径状態で弛緩している。支持構造物30は、ゆりかごのようにして毛様体筋5bを支え、磁石35が取り付けられている。磁石35は、コイル40で摺動可能に囲まれており、さらにコイル40は、輪25によって支持されている。
【００２０】
図4において、毛様体筋5cは、収縮し、直径がより小さくなり、それによって、磁石35をより深くコイル40内に移動し、電池および/または動力セルの再充電、および/または毛様体筋の監視に活用できる電位を発生することができる。磁石35およびコイル40の組合せのうちの1つまたは複数は、エレクトロニクス分野の当業者に知られている可変抵抗器で置き換えることができ、可変抵抗器は、毛様体筋の動きを監視するために使用され得る。磁石35およびコイル40の1つまたは複数の組合せは、毛様体筋5cの収縮がナノワイヤの群の挟持を引き起こし、次いで、電位を発生することができるようにナノワイヤで置き換えることが可能である。また、発電の分野の当業者には知られているように、コイル以外の構造物に相対的に磁石を移動すると、それが1本の電線であっても、電力を発生することができる。また発電の分野の当業者に知られているように、選択材料の単なる曲げ、圧縮、拡大、または偏向が、エネルギーを発生するために使用され得る。
【００２１】
調節用光学系で調節機能を実行することが必要な場合、屈折力を変更するプロセスを開始するために、ある種の制御信号が、典型的には供給されなければならない。調節の必要性を示し、次いでそのような信号を自動的に検出し、そのような信号に基づき動作するために毛様体筋の収縮が監視され、および/または解釈され得るが、自動よりはむしろ慎重な切り替えを通じて調節を手動で制御する能力を備えるのが望ましい場合もある。
【００２２】
例えば、光のレベルが頻繁に変化し、瞳孔の頻繁な開閉を引き起こす環境に人がいることもあり得る。瞳孔の動きは、光のレベルの変化にのみ応答し、調節に対する要求には応答しないが、自動システムは、そのような入力によって混乱し、それが必要でないときに調節をトリガーすることがあり得る。また、自動調節システムの複雑さを伴わないより単純な製品を提供し、より高い堅牢性、より低いコスト、および/またはより小型のサイズを実現するために手動制御可能なシステムのみを提供することも望ましい場合がある。
【００２３】
手動制御される光学系の必要性を満たし、および/または人がより直観的、習慣的および/または反射的にその視力焦点を調節することを学習できるようにするため、2つ以上のワイヤレス送信機を着用者の指および/または手の上および/または中の2つ以上の場所に取り付け、および/または埋め込まれる光学系に1つまたは複数の受信機を装備して送信機が受信機に近い、および/または適切な近傍内にあるときに送信機とワイヤレス通信することを可能にすることが提案される。それぞれの送信機は、光学系の特定の動作を呼び出すための固有の信号を送信するようにプログラムされ得る。例えば、人差し指に送信機を取り付け、光学系が遠くに焦点を合わせることを指示する命令を使用することが可能である。使用者が遠くにある物体に焦点を合わせたい場合、自分の人差し指を眼の近くに持ってきて、「遠焦点」状態をトリガーすることが可能である。第2の送信機を中指に取り付けて、命令「近くに焦点を合わせる」でプログラムすることが可能である。使用者が近くにある物体に焦点を合わせたい場合、自分の中指を眼の近くに持ってきて、「近焦点」状態をトリガーすることが可能である。両方の指を同時に眼のところに持ってきた場合に、代替的動作がプログラムされ、「遠距離と近距離との間に焦点を合わせる」、または「オフにする」などの動作を実行することが可能である。さらに多くの送信機をさらに多くの指または手の他の部分に付加することによってさらに多くの個別の命令およびなおいっそう多くの組合せ命令を実行することができる。送信機は、信号を眼の内側にある受信機に送信することができる。次いで、受信機は、送信機から信号によって指示される屈折力に合わせて水晶体を調節する命令を電気活性制御レンズ回路に送ることができる。
【００２４】
指および/または手に取り付けられているコントローラのこのような構成を取ることによって、使用者は、自分の視力をさまざまな条件に合わせて調節する非常に単純な方法に適応することができ、視力変更が必要になったときに「考えずに行動する」技能を育成する環境が構築される。
【００２５】
ワイヤレス通信を実現するための技術は、RFID回路など、多くの形態で存在し、これらは一般的に無線遠隔通信の分野の当業者に知られている。
【００２６】
別の例示的な実施形態では、複数の指を使用することができないか、または使用したくない人については、キーフォブ型の送信機を使用することができる。この送信機は、一連のボタンの押下でトリガーされる複数の命令信号を送信するように、複数のボタンを有し、および/またはプログラムされ得る。
【００２７】
さらに別の例示的な実施形態では、送信機は、埋め込まれた光学系への動力源であってよく、単独の動力源、一次動力源、または補助動力源のいずれかとしての動力源であってよい。送信機が眼に十分に近い近傍内に移動されると、ワイヤレス伝送を介して電力が光学系内に伝達され得る。ワイヤレス電力伝送の分野の当業者であれば、そのようなシステムを、インダクタンスコイルである例示的な一方法を用いて設計することができる。電力伝送のため送信機を眼に十分に近い位置に置くことで埋め込み部の内側の電力貯蔵デバイスを再充電することが可能であり、および/または内部電力貯蔵デバイスを有していなくても光学系をトリガーするために必要な電力すべてを供給することが可能である。そのような構成は、電力が印加される場合に光学的状態を変化させる液晶を利用する光学系において使用されるものとしてよいが、電力の供給を止めたときにその光学的状態に留まり、電力の供給を止めたときに別の「静止状態」に戻ることはない。
【００２８】
図5は、システム7000の例示的な一実施形態のブロック図であり、これは、第1のボタン5110および/または第2のボタン5120などの、任意の個数のボタンを備え得るキャリア5100を備えることができる。第1のボタン5110は、使用者の第1の所定の指によって作動されて、第1の送信機5115に、第1のワイヤレス信号5210を受信機5300に送信することを、第1の送信機5115が受信機5300の所定の近傍内に入っているときなどに行わせることができる。第2のボタン5120は、使用者の第2の所定の指によって作動され、第2の送信機5125に、第2のワイヤレス信号5220を受信機5300に送信することを行わせることができる。いかなる追加のボタンも、対応する仕方で機能し得る。
【００２９】
キャリア5100、第1の送信機5110、および/または第2の送信機5120は、使用者の手に持たれる、使用者によって着用される(例えば、宝飾品類)、使用者の所定の指(または他の身体部分)に着用される、および/または使用者の所定の指(または他の身体部分)内に埋め込まれるように適合され得る。例えば、送信機または他の関係する電子回路(指圧力センサ、送信機アクチュエータ、アンテナ、受信機、コントローラ、電池、動力変換装置など)は、指、手、腕、顔、腰、大腿部、こめかみ、または身体の別の場所に、本出願の提出先の管轄区域の法律によって許容可能な範囲で参照によりその全体が本明細書に組み込まれている、米国特許出願公開第20130041235号で説明されているような柔軟性または延伸性を有する基材を介して皮膚装着され得る。
【００３０】
受信機5300は、使用者によって着用され、使用者の眼に装着され、および/または使用者の眼の内側などの使用者体内に埋め込まれ得る。受信機5300は、コントローラ5400に電気的に接続されるものとしてよく、これは本明細書で説明されているような情報デバイスであってよく、および/または、使用者によって着用され、使用者の眼に装着され、および/または使用者の眼の内側などの使用者体内に埋め込まれ得る。コントローラ5400は、電力貯蔵デバイス5500(電池など)、毛様体筋力変換装置5600、および/または1つもしくは複数の眼科用デバイス5700(例えば、電気活性レンズ)に電気的に接続されるものとしてよく、これらはいずれも、使用者によって着用され、使用者の一方もしくは両方の眼に装着され、および/または使用者の一方もしくは両方の眼の内側などの使用者体内に埋め込まれ得る。
【００３１】
コントローラ5400は、受信機5300を介して第1の信号5210を受信した後に、眼科用デバイス5700に、その屈折力を調節し使用者に近視野焦点などの第1の所定の視覚的状況を与えることを行わせるように適合され得る。同様に、コントローラ5400は、受信機5300を介して第2の信号5220を受信した後に、眼科用デバイス5700に、その屈折力を調節して使用者に遠視野焦点などの第2の所定の視覚的状況を与えることを行わせるように適合され得る。所定の屈折力、焦点距離、波長受信(例えば、赤外線、暗視、視覚、バラ色、紫外線など)、極性受信、乱視補正、球面補正、収差補正、および/または無補正などの他の視覚的状況も可能である。
【００３２】
コントローラ5400は、信号5210、5220を介して伝送され、受信機5300によって受信される電力を電力貯蔵デバイス5500を介して貯蔵し、および/または眼科用デバイス5700などのシステム5000の1つまたは複数のコンポーネントを操作するために利用するように適合され得る。
【００３３】
コントローラ5400は、毛様体筋力変換装置5600から受信される電力を電力貯蔵デバイス5500を介して貯蔵し、および/またはそれ自体、受信機5300、および/または眼科用デバイス5700などを介して利用するように適合され得る。
【００３４】
図6は、方法6000の例示的な一実施形態の流れ図である。活動6100において、信号は、ボタンが押されるか、または他の何らかの形で送信機が作動されたことなどに応答して、送信される。活動6200において、信号は、受信機などによって、受信され得る。活動6300において、信号は、受信機および/またはコントローラなどによって、解釈され得る。活動6400において、眼科用デバイスは、解釈された信号などに応答して調節され得る。活動6500において、眼科用デバイスへの1つまたは複数の調節で、視覚的状況を眼科用デバイスの着用者に提供することができる。
【００３５】
活動6600において、着用者の視覚的状況の変更に潜在的に応答する、着用者の毛様体筋によって発生する電力が、捕捉され得る。活動6700において、電力を貯蔵することができ、例えば、電力は毛様体筋から捕捉された電力および/または送信信号から捕捉された電力である。活動6800において、捕捉され、および/または貯蔵された電力は、送信機、受信機、コントローラ、眼科用デバイス、および/または毛様体筋力変換装置などに電力を供給するなどのために利用され得る。
【００３６】
図7は、情報デバイス7000の例示的な一実施形態のブロック図であり、このデバイスは、いくつかの動作可能な実施形態において、変換装置、コントローラ、送信機、および/または受信機に帰するものなど、本明細書で説明されているアルゴリズムを実装するように適合され得る。情報デバイス7000は、多数の変換回路のいずれかを備えることができ、これらは、例えば、1つまたは複数のネットワークインターフェース7100、1つまたは複数のプロセッサ7200、命令7400を収めた1つまたは複数のメモリ7300、1つまたは複数の入出力(I/O)デバイス7500、および/またはI/Oデバイス7500に結合された1つもしくは複数のユーザインターフェース7600などの、多数の通信可能に、電気的に、磁気的に、光学的に、流体的に、機械的に、化学的に、および/または生化学的に結合された物理的コンポーネントのうちのどれかを介して形成され得る。
【００３７】
いくつかの例示的な実施形態において、グラフィカルユーザインターフェースなどの1つまたは複数のユーザインターフェース7600を介して、使用者は、本明細書で説明されている製品、サービス、方法、ユーザインターフェース、および/または情報のうちのどれかの調査、設計、モデリング、作製、開発、構築、製造、操作、保守、貯蔵、マーケティング、販売、配送、選択、指定、要求、発注、受領、返送、格付け、および/または推奨に関係する情報のレンダリングを閲覧することができる。例えば、1つまたは複数のユーザインターフェース7600において、使用者は、ボタンのアクティブ化を検出する、信号を送信する、信号を受信する、信号を解釈する、眼科用デバイスを調節する、眼科用デバイスの状態を解釈する、筋肉の動きおよび/または力を感知する、筋肉の動きおよび/または力を動力(例えば、電力)に変換する、動力(例えば、筋肉および/または送信信号からの)を捕捉する、動力を貯蔵する、および/または動力を利用するための命令などの命令7400をプログラムする、再検討する、テストする、モデル化する、調節する、修正する、更新する、有効化する、および/または無効化することができる。
【００３８】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
眼構造に接続し、毛様体筋によって発生した力学的な力を動力に変換するように適合された埋め込み可能な毛様体筋力変換装置を備えるデバイスを含み、および/または関係するものとしてよく、
ただし、
埋め込み可能な毛様体筋力変換装置は磁石を備え、
埋め込み可能な毛様体筋力変換装置はコイルを備え、
埋め込み可能な毛様体筋力変換装置はバネを備え、
埋め込み可能な毛様体筋力変換装置は油圧ピストンを備え、
埋め込み可能な毛様体筋力変換装置は油圧弁を備え、
埋め込み可能な毛様体筋力変換装置は複数のナノワイヤを備え、
埋め込み可能な毛様体筋力変換装置は圧電ストリップを備え、
埋め込み可能な毛様体筋力変換装置は毛様体筋に取り付けるように適合され、
埋め込み可能な毛様体筋力変換装置は嚢赤道部に取り付けられ、
埋め込み可能な毛様体筋力変換装置は1つまたは複数の小帯に取り付けるように適合され、
埋め込み可能な毛様体筋力変換装置は眼嚢の内側に留置されるように適合され、および/または
可変抵抗器は毛様体筋の動きを感知するように適合されている。
【００３９】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
埋め込み可能な毛様体筋動きセンサを備えるデバイスを含み、および/または関係するものとしてよく、
ただし、
埋め込み可能な毛様体筋動きセンサは毛様体筋に取り付けるように適合され、
埋め込み可能な毛様体筋動きセンサは1つまたは複数の小帯に取り付けるように適合され、
埋め込み可能な毛様体筋動きセンサは眼嚢の内側に留置されるように適合され、および/または
埋め込み可能な毛様体筋動きセンサは毛様体筋力変換装置に取り付けるように適合される。
【００４０】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
哺乳類体内に埋め込まれたデバイスを介して毛様体筋の力を所定の形態の動力に変換するステップ、
哺乳類体内に埋め込まれたデバイスを介して毛様体筋動きを感知するステップ、および/または
哺乳類体内に埋め込まれたデバイスを介して毛様体筋の力を感知するステップを含み、および/または関係するものとしてよい。
【００４１】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、毛様体筋の力を電力に変換し、および/または毛様体筋の動きを感知するステップを含み、および/または関係するものとしてよい。
【００４２】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
使用者の眼の中に埋め込まれた電気活性レンズ、
電気活性レンズの屈折力を制御するように適合された制御回路、および/または
所定の信号を受信機に送信するように適合されている送信機から信号を受信するように適合された受信機であって、所定の信号は電気活性レンズの屈折力を調節することを受信機に行わせるように適合されている、受信機を含み、および/または関係するものとしてよい。
【００４３】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
第1の送信機であって、
使用者の第1の指によって操作され、
第1の送信機が1つまたは複数の受信機の所定の近傍内に入っているときに第1の信号を眼科用デバイスの1つまたは複数の受信機にワイヤレス方式で送信するステップであって、眼科用デバイスは使用者体内に埋め込まれるか、または使用者によって着用され、第1の信号は使用者に第1の所定の視覚的状況を伝えることを眼科用デバイスに行わせるように適合されている、ステップを実行するように適合された、第1の送信機、
第2の送信機であって、
使用者の第2の指によって操作され、
第2の送信機が1つまたは複数の受信機の所定の近傍内に入っているときに第2の信号を1つまたは複数の受信機にワイヤレス方式で送信するステップであって、第2の信号は第2の所定の視覚的状況を使用者に伝えることを眼科用デバイスに行わせるように適合されている、ステップを実行するように適合された、第2の送信機、
受信機、および/または
眼科用デバイスを含み、および/または関係するものとしてよく、
ただし、
受信機は使用者体内に埋め込まれ、
受信機は使用者の眼の内側に埋め込まれ、
受信機は使用者の眼に着用され、
眼科用デバイスは使用者の眼の内側に埋め込まれ、
眼科用デバイスは使用者の眼に着用され、
眼科用デバイスは電気活性レンズを備え、
第1の送信機は第1の指内に埋め込まれるように適合され、
第1の送信機は第1の指に着用されるように適合され、
第1の指は予め決定され、および/または第2の指は予め決定され、
第1の送信機は使用者の手で持たれるように適合され、
第1の送信機および/または第2の送信機は宝飾品の中に一体化され、
第1の送信機は第1の信号の伝送を引き起こすように適合されたボタンを備え、
第1の送信機は電気的エネルギーを眼科用デバイスのエネルギー貯蔵デバイスに伝達するように適合され、
第1の送信機は眼科用デバイスを動作させるのに十分な電気的エネルギーを伝達するように適合され、
第1の送信機は1つまたは複数のインダクタンスコイルを備え、
第1の信号は第1の送信機を識別し、
第1の送信機は眼科用デバイスの1つまたは複数の液晶を制御するように適合され、
第1の送信機は眼科用デバイスの1つまたは複数の液晶の光学的状態を変化させるように適合され、
第1の視覚的状況は使用者の両眼に関連付けられ、
第1の視覚的状況は使用者の片眼にのみ関連付けられ、
第1の視覚的状況は焦点距離であり、
第1の視覚的状況は遠焦点距離であり、
第1の視覚的状況は近焦点距離であり、
第1の視覚的状況は変化する焦点距離であり、
第1の視覚的状況は屈折力であり、および/または
第1の視覚的状況は視覚的補正の欠如である。
【００４４】
いくつかの例示的な実施形態は、活動に適合された、および/または活動の結果であるシステム、機械、デバイス、製造、回路、組成物、および/またはユーザインターフェース、および/または活動のための機械実装可能命令を含む方法および/または機械可読媒体を実現することができ、前記活動は、
使用者の所定の第1の指によって操作されるように適合された第1の送信機から、
第1の送信機が1つまたは複数の受信機の所定の近傍内に入っているときに第1の信号を眼科用デバイスの1つまたは複数の受信機にワイヤレス方式で送信するステップであって、眼科用デバイスは使用者体内に埋め込まれるか、または使用者によって着用され、第1の信号は使用者に第1の所定の視覚的状況を伝えることを眼科用デバイスに行わせるように適合されている、ステップを実行するように適合されている、ステップ、および/または
使用者の所定の第2の指によって操作されるように適合された第2の送信機から、
第2の送信機が1つまたは複数の受信機の所定の近傍内に入っているときに第2の信号を1つまたは複数の受信機にワイヤレス方式で送信するステップであって、第2の信号は使用者に第2の所定の視覚的状況を伝えることを眼科用デバイスに行わせるように適合されている、ステップを含み、および/または関係するものとしてよい。
【００４５】
定義
以下の用語が本明細書において実質的に使用されている場合、これらの添付の定義が適用される。これらの用語および定義は、偏見なく提示され、出願と一致する形で、本出願または優先権を主張する出願の遂行中に補正を介してこれらの用語を再定義する権利は留保される。優先権を主張する特許の請求項を解釈することを目的として、その特許におけるそれぞれの定義は、その定義を外れた主題の明確で一義的な拒否として機能する。
【００４６】
a-少なくとも1つ。
【００４７】
収差-複数の光線が接触する、レンズおよび/または鏡などの、光学的コンポーネント内の1つもしくは複数の制限および/または欠陥のことであり、前記制限および/または欠陥は、光線が1つの焦点に収束するのを妨げ、これは潜在的に例えば光学的コンポーネントが1つまたは複数の球面などの完全な平面でない1つまたは複数の表面を備えることによるものである。
【００４８】
取得する-得る、手に入れる、導入する、受け取る、および/または所有権を得る。
【００４９】
横切る、渡って-一方の側から別の側へ。
【００５０】
活動-動作、行為、ステップ、および/またはプロセスもしくはその一部。
【００５１】
適合される-適している、合う、および/または指定された機能を実行できる。
【００５２】
アダプタ-装置またはシステムの1つまたは複数の断片の異なる部分の間の動作互換性をもたらすために使用されるデバイス。
【００５３】
調節する-一致する、合う、適応する、形状適合する、および/またはより効果的な状態にある。
【００５４】
整列する-別のものに関して、実質的に適切な向きおよび/または配置になるように調節する。
【００５５】
および/または-併せて、または代替的に、のいずれか。
【００５６】
装置-特定の目的のための器具またはデバイス。
【００５７】
関連付ける-連結する、一緒に接続する、および/または関係付ける。
【００５８】
取り付ける-締め付ける、固定する、結合する、および/または連結する。
【００５９】
オートフォーカス-カメラから被写体までの距離を推定するために被写体から出る赤外線を反射することに関連する時間遅延を使用することが多い撮影される被写体のピントが合うようにレンズを自動的に調節するカメラ内のシステム。
【００６０】
自動-使用者による影響および/または制御とは本質的に無関係の様式で情報デバイスを介して実行される。例えば、自動ライトスイッチは、人が手動でライトスイッチを操作することなく、その「視界」に入っている人を「見た」後にオンになることができる。
【００６１】
ある、いる-現実に存在する。
【００６２】
光線-光源から放射する光の投射。
【００６３】
ブール論理-論理演算のための完全な体系。
【００６４】
境界線-外縁、表面、および/または対象の範囲に隣接して配置および/または位置決めされるべき。
【００６５】
束縛-(n)境界、限度、および/またはさらなる範囲、(v)範囲を限定する。
【００６６】
バス-複数の回路間で共通の接続を形成する導電体。
【００６７】
ボタン-隆起部、ドアベルおよび/または機械を操作するものなどの、押されたときに電気回路を完成する機構によって備えられる小さい、指で作動させられる表面、および/またはグラフィカルユーザインターフェースシステムでは、コマンドを選択するためにクリックされるインターフェース内の適切に定義された領域。
【００６８】
によって-介しておよび/または使用しておよび/または助けを借りて。
【００６９】
カメラ-被写体の静止しているおよび/または動いている像が感光フィルム、プレート、テープ、および/または電子および/または光メモリデバイス(例えば、RAM、EEPROM、フラッシュメモリ、磁気ディスク、光ディスクなど)に結合されているセンサ上に焦点を合わされ、記録される際に通るレンズが配置されている開口を有する遮光性の囲い部を多くの場合に備えるデバイス。
【００７０】
できる、し得る-少なくともいくつかの実施形態では、する能力を有する。
【００７１】
嚢-構造物を部分的にまたは完全に囲むカバーまたは外包。
【００７２】
捕捉する、取り込む-情報および/またはデータを感知し、受信し、取得し、入力し、格納し、および/または記録することをメモリ内に行う。
【００７３】
引き起こす-もたらす、誘発する、助長する、発生する、引き出す、の理由となる、結果として生じる、および/または発効させる。
【００７４】
変わる、変化(する)、変更(する)-(v)異なるものにする、(n)改変または修正を行う行為、プロセス、および/または結果。
【００７５】
毛様-毛様体および眼に関連する構造に関係する。
【００７６】
回路-文脈に応じて、スイッチングデバイス(スイッチ、リレー、トランジスタ、および/または論理ゲートなど)を介して確立された導電性経路、情報伝送機構、および/または通信接続、経路、機構、および/または接続、および/またはネットワークによって備えられ、またネットワークに接続された対応するエンドシステムの間に備えられるが、ただし、ネットワークによって備えられていない2つ以上のスイッチングデバイスにわたって確立される導電性経路、情報伝送機構、および/または通信接続、経路、機構、および/または接続。
【００７７】
協働する-別々である、および/または競合するのとは反対に、一緒におよび/または調和して働く、作用する、および/または機能する。
【００７８】
コイル-(n)導電体の材料の2つ以上の巻きを含む連続的ループ、および/または電流が中を流れることにより磁場を生じる導体、(v)実質的に螺旋状の断面を有する構成となるように巻き、および/または形成すること。
【００７９】
備える、含む-限定はしないが、後に続くものを含む。
【００８０】
備えている、含んでいる-限定はしないが、含む。
【００８１】
同心の-共通の中心軸を有する。
【００８２】
状態、状況、条件-既存の状況および/または特定の時刻における状態。
【００８３】
導体-電圧を電気活性材料に印加するように適合された導電体の材料および/またはコンポーネント。
【００８４】
構成する-特定の使用または状況に適したものにする、または合わせる。
【００８５】
接続する-連結する、または一緒に締め付ける。
【００８６】
接続する-連結する、または一緒に締め付ける。
【００８７】
接触する-物理的に触れる、および/または一体となる。
【００８８】
格納する、含む-限定はしないが、含む。
【００８９】
連続的に隣接する-近接する、および/または隣接する。
【００９０】
コントラスト-写真および/またはビデオ画像などの画像の明領域と暗領域との間の明るさの違い。
【００９１】
制御(機器)-(n)所定の限度内で機械を操作するために使用される機械的および/または電子デバイス、(v)権限を行使する、および/または影響を支配する、所定の様式で動作させる、指令する、要件に合わせて調節する、および/または規制する。
【００９２】
コントローラ-1つもしくは複数の所定のおよび/またはユーザ定義タスクを実行するためのデバイスおよび/または機械可読命令のセット。コントローラは、ハードウェア、ファームウェア、および/またはソフトウェアのうちのいずれか1つまたは組合せを含むことができる。コントローラは、機械、空気圧、油圧、電気、磁気、光、情報、化学、および/または生物学の原理、信号、および/または入力を使用してタスクを実行することができる。いくつかの実施形態において、コントローラは、実行可能プロシージャおよび/または情報デバイスによる使用のため情報を操作し、分析し、修正し、変換し、送信し、および/またはその情報の出力デバイスへの経路選択を実行することによって情報に基づき動作することができる。コントローラは、中央演算処理装置、ローカルコントローラ、リモートコントローラ、並列コントローラ、および/または分散コントローラなどであってよい。コントローラは、Intel Corporation(カリフォルニア州サンタクララ所在)によって製造されているPentium（登録商標） IVシリーズのマイクロプロセッサ、および/またはMotorola(イリノイ州ショウンバーグ所在)のHC08シリーズなどの、汎用マイクロコントローラであってよい。別の実施形態では、コントローラは、ハードウェアおよび/またはファームウェアで本明細書で開示されている一実施形態の少なくとも一部を実装するように設計されている特定用途向け集積回路(ASIC)またはフィールドプログラマブルゲートアレイ(FPGA)であってもよい。
【００９３】
変換する(convert)-(形、性質を)変換する(transform)、適応する、および/または変更する。
【００９４】
変換装置-(形、性質を)変換する(transform)、適応する、および/または変更するデバイス。
【００９５】
補正-より望ましい値への変更。
【００９６】
対応する-関係する、関連する、付随する、目的および/または位置が類似する、あらゆる点で形状適合する、および/または量、数量、大きさ、品質、および/または程度について同等および/または一致している。
【００９７】
結合する-機械的手法、流体的手法、音響的手法、電気的手法、磁気的手法、および/または光学的手法などを含む、知られている何らかの手法により、連結する、接続する、および/またはリンクする。
【００９８】
結合可能-連結される、接続される、および/または一緒にリンクされる能力を有する。
【００９９】
結合-何らかの方法でのリンク。
【０１００】
作成する、作製する、生じさせる、形成する-存在させる。
【０１０１】
データ-通常、特別な、または所定の仕方でフォーマットされている、および/または概念を表現するように編成されている、および/または情報デバイスによる処理に適した形態で表されている、明確に区別できる情報断端。
【０１０２】
データ構造-データを効果的に操作することを可能にするデータの集合体の編成、および/または特定のデータ操作機能をサポートするように設計されているデータ要素間の論理関係。データ構造は、データ構造の特性を記述するためのメタデータを含むことができる。データ構造の例として、配列、辞書、グラフ、ハッシュ、ヒープ、リンクリスト、行列、オブジェクト、キュー、リング、スタック、ツリー、および/またはベクトルが挙げられる。
【０１０３】
定義する-外形、形態、および/または構造を確立する。
【０１０４】
堆積する-置く、横たえる、留置する、位置決めする、および/または下に降ろす、および/または締め付ける、定着する、および/または固定する。
【０１０５】
決定する-典型的には調査、推理、および/または計算により、見出す、得る、算出する、決定を下す、推論する、突き止める、および/または決定に至る。
【０１０６】
デバイス-機械、製造品、および/またはその集合体。
【０１０７】
回折-隣接する不透明な縁と透明な縁によって形成される縁を通る際の光線の曲がり。
【０１０８】
デジタル-非アナログおよび/または離散的。
【０１０９】
距離-物理的分離の尺度。
【０１１０】
分岐する-共通点から異なる方向に進む、または延在する。
【０１１１】
縁-外周、境界線、および/または境界。
【０１１２】
電動の-電気によって作動する。
【０１１３】
電気的な-電気を発生すること、電気を分配すること、および/または電気によって作動することに関係する。
【０１１４】
電気的エネルギー-導体を通る電荷の流れによって特徴付けられ、および/または導体を通る電荷の流れを引き起こすように適合されたエネルギー。
【０１１５】
電気的に-電気の、電気に関係する、電気を発生する、または電気によって作動される。
【０１１６】
電気的に結合される-間に電気の流れを通せるように適合された様式で接続される。
【０１１７】
電気活性-材料のさまざまな特性と電気的および/または電子的状態との間の相互作用に関する、および/または電場および/または磁場を印加することによって材料のある種の特性を修正することによって動作するコンポーネント、デバイス、システム、および/またはプロセスを伴う技術の一分野。この技術の下位分野は、限定はしないが、電気光学を含む。
【０１１８】
電気活性要素-電気活性フィルター、反射体、レンズ、シャッター、液晶リターダー、能動(すなわち、非受動)有極性フィルター、電気活性アクチュエータによって移動可能である電気活性要素、および/または電気活性アクチュエータによって移動可能である従来のレンズなどの、電気活性効果を利用するコンポーネント。
【０１１９】
電気光学-材料の電磁気的(光学的)状態と電気的(電子的)状態との間の相互作用に関する、および/または電場を印加することによって材料の光学的特性を修正することによって動作するコンポーネント、デバイス、システム、および/またはプロセスを伴う技術の一分野。
【０１２０】
電極-電子および/またはイオンを放出し、および/または集める、および/またはそれらの移動を印加される電場を用いて制御する導電性要素。
【０１２１】
発散する-放出する、放射する、および/または輝く。
【０１２２】
エネルギー-使用可能な熱または動力、および/または仕事をする身体および/またはシステムの能力、および/または測定可能な物理量のことであり、次元は質量と速度の2乗の積に等価であり、および/または変換可能であり、孤立系では保存される。
【０１２３】
赤道部-球面または他の表面を合同の、および/または2つの等しい対称部分に分ける円。
【０１２４】
推定(する)-(n)実際の値を近似する計算値、(v)近似的に、および/または暫定的に計算する、および/または決定する。
【０１２５】
エッチングする-酸の作用などの、化学作用によって材料(例えば、金属、ガラスなど)の表面を摩滅させる。
【０１２６】
眼-視覚および/または光感受性を持つ器官、および/または一緒に、または独立して機能する、頭蓋骨の骨性窩内に配置されているいずれかの一対の中空構造物であり、それぞれ内部光感受性網膜上に入射光を集束することができるレンズを有し、その網膜から神経インパルスが脳に送られる。
【０１２７】
遠-少なくとも約3メートル以上のCTO距離。
【０１２８】
場-重力または電磁力または流体圧力などの、物理的特性によって特徴付けられる空間の領域であって、その領域内のすべての点において決定可能な値を有する領域。
【０１２９】
視界-カメラが画像を得ることができる空間の範囲および/またはカメラレンズの透視中心(後節点)を通りフォーマットの2つの対向側に至る2本の光線が成す角度。
【０１３０】
指-手の指のどれか。ときには親指を除く。
【０１３１】
第1-順序付けにおける最初の構成要素。
【０１３２】
平坦-実質的に平面状の主要表面を有する、および/または厚さもしくは深さに関して比較的広い表面を有すること。
【０１３３】
焦点-エネルギーおよび/または光を集中させ、および/または収束させる。
【０１３４】
力-仕事をする、または物理的変化を引き起こす能力、および/または加えられ、負わせるエネルギー、および/または運動の原因および/または運動および/または静止状態の変化。
【０１３５】
形成する-生産する、作成する、生じさせる、発生する、構築する、および/または整形する。
【０１３６】
フレネルレンズ-セグメント型レンズの同心リングを含む薄い光学レンズ。
【０１３７】
から-源を示すために使用される。
【０１３８】
さらなる、さらに-それに加えて。
【０１３９】
発生する-作成する、生産する、生じさせる、および/または存在させる。
【０１４０】
勾配-可変量の距離に関する変化率。
【０１４１】
グリッド-一連の規則正しい形状を形成するために互いに交差する、現実の、または概念上の、線のネットワーク。
【０１４２】
手-典型的には手首、掌、4本の指、および向かい合わせにできる親指を含む、握って持つために使用される、前腕の下に配置されている人間の腕の末端部。
【０１４３】
触覚-人間の力覚動作の感覚および/または人間の触れる感覚を伴う。多数ある潜在的な触覚体験のうち、多くの感覚、身体の位置に関する感覚の違い、および少なくとも部分的に非視覚的、非聴覚的、および非臭覚的な様式で知覚される時間に基づく感覚の変化があり、これは、触覚接触(接触されている)、能動接触、把持、圧力、摩擦、牽引、滑り、延伸、力、トルク、衝撃、穿刺、振動、運動、加速度、急な動き、パルス、配向、四肢位置、重力、質感、間隙、陥凹部、粘度、疼痛、かゆみ、水分、温度、熱伝導率、および熱容量を含む。
【０１４４】
有する-限定はしないが、含む。
【０１４５】
手に持つ-握る、および/または把持して有する、および/または保持する。
【０１４６】
人間機械インターフェース-使用者に対して情報をレンダリングし、および/または使用者から情報を受信するように適合されているハードウェアおよび/またはソフトウェア、および/またはユーザインターフェース。
【０１４７】
油圧、水圧-圧力がかかっている流体の、圧力がかかっている流体を伴う、圧力がかかっている流体によって移動される、および/または操作される。
【０１４８】
識別する-のID、原点、性質、および/または限定的な特性を指定する、認識する、検出する、および/または確立する。
【０１４９】
照射する-光を供給する、および/または光で明るくする。
【０１５０】
画像-被写体、実体、および/または現象の少なくとも2次元の表現。複数の画像は、動きの現れ方を再現し、および/または生成するために、所定の、時間順序で提示され得る。
【０１５１】
衝突する-ぶつかる、および/または当たる。
【０１５２】
埋め込む-外科的に(物体またはデバイスを)挿入するか、または埋め込む。
【０１５３】
含む-限定はしないが、含む。
【０１５４】
屈折率-物質が中を通過する光波を遅くする程度の尺度。物質の屈折率は、真空中の光の速度とその物質内の速度との比に等しい。その値が、物資内に入るか、または出るときに光が屈折される程度を決定する。
【０１５５】
インジウムスズ酸化物-典型的には薄い層内の透明で、無色であり、電磁スペクトルの赤外線領域において金属様鏡として使用され得る酸化インジウム(III)(In2O3)と酸化スズ(IV)(SnO2)の固溶体、典型的には90%のIn2O3、10重量%のSnO2。これは、導電率および光透過性により広く使用されている透明導電酸化物である。インジウムスズ酸化物の薄膜は、電子ビーム蒸着、物理的気相堆積、および/または一連のスパッタ堆積技術によって表面に堆積されるのが最も一般的である。
【０１５６】
個別に-明確に異なる構成要素の、または関係する。
【０１５７】
インダクタンス-変化する電流は回路および/または近接する回路内に動電力を生成し、および/または誘導する、電気回路、および/または2つ以上の近接する回路のその特性。
【０１５８】
情報デバイス-パーソナルコンピュータ、ワークステーション、サーバー、ミニコンピュータ、メインフレーム、スーパーコンピュータ、コンピュータ端末、ラップトップ、ウェアラブルコンピュータ、および/または携帯情報端末(PDA)、モバイル端末、Bluetooth（登録商標）デバイス、コミュニケータ、「スマート」フォン(iPhoneのような、および/またはTreoのようなデバイスなど)、メッセージングサービス(例えば、Blackberry)受信機、ページャ、ファクシミリ、携帯電話、固定電話、電話デバイス、プログラムされたマイクロプロセッサまたはマイクロコントローラおよび/または周辺集積回路素子、ASICまたは他の集積回路、ディスクリート素子回路などのハードウェア電子論理回路、および/またはPLD、PLA、FPGA、またはPALなどのプログラム可能な論理デバイス、または同様のものなどの、汎用および/または専用コンピュータなどの、データおよび/または情報を処理することができるデバイス。一般に、本明細書で説明されている方法、構造、および/またはグラフィカルユーザインターフェースの少なくとも一部を実装することができる有限状態機械が常駐するデバイスは、情報デバイスとして使用され得る。情報デバイスは、1つもしくは複数のネットワークインターフェース、1つもしくは複数のプロセッサ、命令を格納する1つもしくは複数のメモリ、および/または1つもしくは複数の入出力(I/O)デバイス、I/Oデバイスに結合された1つもしくは複数のユーザインターフェースなどのコンポーネントを備えることができる。
【０１５９】
情報デバイス-パーソナルコンピュータ、ワークステーション、サーバー、ミニコンピュータ、メインフレーム、スーパーコンピュータ、コンピュータ端末、ラップトップ、ウェアラブルコンピュータ、および/または携帯情報端末(PDA)、モバイル端末、Bluetooth（登録商標）デバイス、コミュニケータ、「スマート」フォン(iPhoneのような、および/またはTreoのようなデバイスなど)、メッセージングサービス(例えば、Blackberry)受信機、ページャ、ファクシミリ、携帯電話、固定電話、電話デバイス、プログラムされたマイクロプロセッサまたはマイクロコントローラおよび/または周辺集積回路素子、ASICまたは他の集積回路、ディスクリート素子回路などのハードウェア電子論理回路、および/またはPLD、PLA、FPGA、またはPALなどのプログラム可能な論理デバイス、または同様のものなどの、汎用および/または専用コンピュータなどの、データおよび/または情報を処理することができるデバイス。一般に、本明細書で説明されている方法、構造、および/またはグラフィカルユーザインターフェースの少なくとも一部を実装することができる有限状態機械が常駐するデバイスは、情報デバイスとして使用され得る。情報デバイスは、1つもしくは複数のネットワークインターフェース、1つもしくは複数のプロセッサ、命令を格納する1つもしくは複数のメモリ、および/または1つもしくは複数の入出力(I/O)デバイス、I/Oデバイスに結合された1つもしくは複数のユーザインターフェースなどのコンポーネントを備えることができる。
【０１６０】
初期化する-使用および/または何らかの将来の事象に備えて何かを準備する。
【０１６１】
入出力(I/O)デバイス-情報デバイスに入力を供給する、および/または情報デバイスから出力を受信するように適合されたデバイス。例として、潜在的にI/Oデバイスが取り付けられるか、または接続され得るポートを備える、例えば、モニター、ディスプレイ、プロジェクタ、オーバーヘッドディスプレイ、キーボード、キーパッド、マウス、トラックボール、ジョイスティック、ゲームパッド、ホイール、タッチパッド、パッチパネル、ポインティングデバイス、マイクロフォン、スピーカー、ビデオカメラ、カメラ、スキャナ、プリンタ、スイッチ、リレー、触覚デバイス、バイブレータ、触覚シミュレータ、および/または触覚パッドを含む、聴覚、視覚、触覚、嗅覚、および/または味覚指向のデバイスが挙げられる。
【０１６２】
内側-所定の境界の中。
【０１６３】
インストールする-接続するか、または適所にセッティングし、使用の準備をする。
【０１６４】
命令-ハードウェア、ファームウェア、および/またはソフトウェアとして実装され得る指令であり、これらの指令は所定の実回路の作成および/または維持を介して特定のオペレーションおよび/または機能を実行するように適合される。
【０１６５】
絶縁する-電流の流れに対する実質的な抵抗を有する。
【０１６６】
集積される-全体の中におよび/または別の構成要素の中に形成され、および/または一体化される。
【０１６７】
中に-条件、状態、または形態に。
【０１６８】
IOLハプティック-IOLの一部であり、眼の中でIOLのための支持体を構成するように、一般的にIOLの光学系の中心を眼の光軸に合わせることも行うように適合されている構造。
【０１６９】
品-複数の品物のうちの単一の品物および/または少なくとも部分的に保護される、収納される、輸送される、隠される、支持される、運ばれる、および/または封入されるなどが容器によってなされ得る何か。
【０１７０】
宝飾品類-ネックレス、ペンダント、チョーカー、カラー、ビーズ、ブローチ、お守り、メダル、襟章、タイタック、イヤリング、ピアス、ヘアクリップ、ヘッドバンド、リング、ブレスレット、バングル、腕時計、カフスボタン、派手な宝石、ベルト、および/またはバックルなどの、また場合によっては、iPods、スマートフォン、スマートウォッチ、ヘッドフォン、ペン、鉛筆、ホイッスル、医療アラートブレスレット、イヌの鑑札などの品を含む、個人装飾品の1つまたは複数の対象物。
【０１７１】
欠如-特定の不足および/または非存在。
【０１７２】
層-1つまたは複数の機能を有する連続的な比較的薄い、材料、領域、層、段、薄層、コーティング、および/またはシート。一定の厚さを有している必要はない。
【０１７３】
レンズ-光線の収束および/または焦点を変えるために光学デバイスで使用される、両方とも曲面であるか、または一方が曲面で他方が平面である2つの対向する表面を有する、多くの場合にガラスおよび/またはプラスチックである透明物質の断片、および/または光を透過し、光を屈折させ、集中させ、および/または発散させるように適合されている光学デバイス。レンズは、メガネのレンズ、眼内レンズ、および/またはコンタクトレンズなどの、眼科用レンズであってよい。
【０１７４】
光-約400から約700nmまでの範囲、近赤外線から長波長の遠赤外線までの範囲、および/または紫外線からX線および/またはガンマ線までの範囲などの間のあらゆる値および部分範囲を含む約300ナノメートルから約1000ナノメートルの範囲内の波長を有する電磁放射線。
【０１７５】
光源-印加された電流に応答して光を放出するように適合されているデバイス。
【０１７６】
液体-ポンプ送出可能および/または流動可能であるスラリーおよび/または懸濁液を含む、特徴的な流れやすさ、分散する傾向がほとんど、または全くないこと、および比較的高い非圧縮性を示す物体。
【０１７７】
液晶-原子または分子が1次元または2次元のいずれかで規則正しく配列されているさまざまな液体のいずれかであり、順序は結晶に関連する非等方散乱などの光学的特性を生じさせる。
【０１７８】
配置する-特定のスポット、領域、および/または位置に留置する、セッティングする、見つける、および/または置く。
【０１７９】
論理ゲート-1つまたは複数の論理入力に論理オペレーションを実行し、単一の論理出力を生成するように適合され、物理的に現れている、物理的デバイス。出力は論理レベル値でもあるため、1つの論理ゲートの出力は、1つまたは複数の他の論理ゲートの入力に接続することができ、そのような組合せを介して、複雑なオペレーションが実行され得る。通常実行される論理は、ブール論理であり、デジタル回路に見られるのが最も一般的である。論理ゲートの最も一般的な実装は、抵抗器、トランジスタ、および/またはダイオードを使用する電子回路に基づくものであり、そのような実装は、多くの場合、集積回路の形態の大きな配列(IC、マイクロ回路、マイクロチップ、シリコンチップ、および/またはチップとも称される)で出現する。しかし、真空管、電磁石(例えば、リレー)、機構(例えば、歯車)、流体工学品、光学系、化学反応、および/またはDNAに、分子スケールのものも含めて基づき動作する論理ゲートを作成することが可能である。それぞれの電子回路で実装される論理ゲートは、典型的には、2つの入力と1つの出力とを有し、それぞれ典型的には電圧で物理的に表される論理レベルまたは状態を有する。与えられた任意の時点において、すべての端子は、異なる電圧レベルで表される、2つの二値論理状態(「偽」(「low」または「0」とも称される)または「真」(「high」または「1」とも称される))のうちの一方を取るが、端子の論理状態は、回路でデータを処理するときに頻繁に変化することができ、また一般的に頻繁に変化する。したがって、それぞれの電子論理ゲートは、典型的には、それが正しい出力電圧を達成するために電流を流し込み、および/または引き込むことができるように電力を必要とする。典型的には、機械実装可能命令は、最終的に、「0」および/または「1」の2進値に符号化され、典型的には、電圧、電流、電荷、位相、圧力、重さ、高さ、張力、レベル、間隙、位置、速度、運動量、力、温度、極性、磁場、磁力、帯磁方向、反射力、分子連鎖、分子量などの変化などのメモリデバイスの物理特性の変化として2進値を記録する、「レジスタ」などの、メモリデバイス内に、および/またはメモリデバイス上に書き込まれる。例示的なレジスタは、合計8「ビット」(1バイト)を符号化した「01101100」の値を格納することが可能であり、「0」または「1」のいずれかのそれぞれの値は、「ビット」と称される(8つのビットは「バイト」と総称される)。バイナリビットは、2つの異なる値のうちの一方(「0」または「1」のいずれか)しかとり得ないので、2つの飽和状態を切り替えることができる物理的媒体を使用して1ビットを表すことができることに留意されたい。したがって、バイナリビットを表すことができる物理的システムは、数量を表すことができ、潜在的に、特定の符号化された機械実装可能命令を介してこれらの数を操作することができる。これは、デジタルコンピューティングの基礎となる基本概念の1つである。レジスタおよび/またはゲートレベルにおいて、コンピュータは、これら「0」および「1」を本質的に数として扱わず、典型的には、電圧レベル(電子回路で実装されたコンピュータの場合)として取り扱い、例えば、約+3ボルトの高電圧は「1」もしくは「論理真」を、約0ボルトの低電圧���「0」もしくは「論理偽」(または、回路の設計に応じて、その逆)を表すことが可能である。これらの高および低電圧(または実装の性質に応じて、他の物理的特性)は、典型的には、一連の論理ゲートに供給され、次いで、正しい論理設計を通じて、特定の符号化された機械実装可能命令によって指定された物理的および論理的結果をもたらす。例えば、符号化が計算を要求する場合、論理ゲートは、符号化の最初の2ビットを足し合わせて、結果「1」(「0」+「1」=「1」)を生成し、次いで、この結果を別のレジスタに書き込んで、その後参照し、読み出す。または、符号化が何らかの種類のサービスの要求である場合、論理ゲートは、その後、他のいくつかのレジスタにアクセスするか、書き込み、次いで、他の論理ゲートをトリガーして要求されたサービスを開始することも可能である。
【０１８０】
論理-概念的表現。
【０１８１】
機械実装可能命令-情報デバイスなどの機械に、1つまたは複数の特定の活動、オペレーション、および/または機能を、特定の実回路を形成することを介して、実行させるように適合された指令。これらの指令は、ときには、「プロセッサ」、「カーネル」、「オペレーティングシステム」、「プログラム」、「アプリケーション」、「ユーティリティ」、「サブルーチン」、「スクリプト」、「マクロ」、「ファイル」、「プロジェクト」、「モジュール」、「ライブラリ」、「クラス」、および/または「オブジェクトなどと称される構成要素を形成することができ、機械コード、ソースコード、オブジェクトコード、コンパイル済みコード、アセンブル済みコード、インタプリタ実行可能コード、および/または実行可能コードなどとして、ハードウェア、ファームウェア、および/またはソフトウェアで具現化され、および/または符号化され得る。
【０１８２】
機械可読媒体-情報デバイス、コンピュータ、マイクロプロセッサ、および/またはコントローラなどの機械が1つまたは複数の機械実装可能命令、データ、および/または情報を格納し、および/または得るために使用される物理的構造物。例として、メモリデバイス、パンチカード、ピアノロール(player-piano scroll)などが挙げられる。
【０１８３】
磁石-磁場によって囲まれ、鉄および/または鋼鉄を引き付ける、自然の、または誘導された、特性を有する物体。
【０１８４】
哺乳類-皮膚が毛で覆われていること、またメスの場合に、子供を育てるために乳を出す乳腺があることを特徴とする、人間を含む、哺乳綱のさまざまな温血脊椎動物のいずれか。
【０１８５】
一致する-2つ以上の値、構成要素、および/または構成要素の群の間の対応関係を反映する、似せる、調和させる、合わせる、対応する、および/または決定する。
【０１８６】
材料-物質および/または組成物。
【０１８７】
してもよい、できる、し得る-少なくともいくつかの実施形態では、することを許容される、および/または許可される。
【０１８８】
メモリデバイス-アナログおよび/またはデジタル形式で、機械実装可能命令、データ、および/または情報を、ときには永久的に、格納することができる装置。例として、少なくとも1つの不揮発性メモリ、揮発性メモリ、レジスタ、リレー、スイッチ、ランダムアクセスメモリ、RAM、リードオンリーメモリ、ROM、フラッシュメモリ、磁気媒体、ハードディスク、フロッピー（登録商標）ディスク、磁気テープ、光媒体、光ディスク、コンパクトディスク、CD、デジタル他用途ディスク、DVD、および/またはレイドアレイなどが挙げられる。メモリデバイスは、プロセッサに結合され、および/または本明細書で開示されている実施形態などに従って、プロセッサによって実行されるように適合された命令を格納し、送ることができる。
【０１８９】
メモリデバイス-アナログおよび/またはデジタル形式で、機械実装可能命令、データ、および/または情報を、ときには永久的に、格納することができる装置。例として、少なくとも1つの不揮発性メモリ、揮発性メモリ、レジスタ、リレー、スイッチ、ランダムアクセスメモリ、RAM、リードオンリーメモリ、ROM、フラッシュメモリ、磁気媒体、ハードディスク、フロッピー（登録商標）ディスク、磁気テープ、光媒体、光ディスク、コンパクトディスク、CD、デジタル他用途ディスク、DVD、および/またはレイドアレイなどが挙げられる。メモリデバイスは、プロセッサに結合され、および/または本明細書で開示されている実施形態などに従って、プロセッサによって実行されるように適合された命令を格納し、送ることができる。
【０１９０】
方法-異なる状態またはものに変換されるべき主題に対して実行され、および/または特定の装置に結び付けられている1つまたは複数の行為であり、前記1つまたは複数の行為は基本的な主体でなく、また基本的な主体のすべての使用に取って代わるものではない。
【０１９１】
中-約0.7から約1.3メートルの範囲内のCTO距離。
【０１９２】
より多く-サイズ、量、範囲、および/または程度についてより大きいことを意味する限量詞。
【０１９３】
動き-動きの行為または事実、および/または一方の配置から別の配置への位置の変化。
【０１９４】
筋肉-身体の特定の骨、一部、または物質を移動させる、筋肉組織の特別な束からなる収縮器官。
【０１９５】
ナノワイヤ-数十ナノメートル以下に制約された厚さまたは直径、および1000以上の縦横比(長さと幅との比)を有する構造物。
【０１９６】
近-約0.2メートル未満のCTO距離。
【０１９７】
ネットワーク-通信可能に結合された複数のノード、通信デバイス、および/または情報デバイス。ネットワークにより、そのようなノードおよび/またはデバイスは、ケーブル、電話回線、動力線、光ファイバー、電波、および/または光線などのさまざまな有線および/またはワイヤレス媒体などを介して、リンクされるものとしてよく、それにより、リソース(プリンタおよび/またはメモリデバイスなど)を共有し、ファイルを交換し、および/またはこれらの間での電子通信を可能にすることができる。ネットワークは、回線交換、公衆交換、パケット交換、コネクションレス、ワイヤレス、仮想、無線、データ、電話、ツイストペア線、POTS、非POTS、DSL、セルラー、電気通信、映像配信、ケーブル、無線、地上、マイクロ波、放送、衛星、ブロードバンド、コーポレート、グローバル、国内、地域、ワイドエリア、バックボーン、パケット交換TCP/IP、IEEE 802.03、Ethernet（登録商標）、Fast Ethernet（登録商標）、Token Ring、ローカルエリア、ワイドエリア、IP、パブリックインターネット、イントラネット、プライベート、ATM、ウルトラワイドバンド(UWB)、Wi-Fi、BlueTooth（登録商標）、空港、IEEE 802.11、IEEE 802.11a、IEEE 802.11b、IEEE 802.11g、X-10、電力、3G、4G、マルチドメイン、および/またはマルチゾーンサブネットワークおよび/またはプロトコル、1つまたは複数のインターネットサービスプロバイダ、1つまたは複数のネットワークインターフェース、および/またはローカルエリアネットワークに直接接続されていないスイッチ、ルーター、および/またはゲートウェイなどの1つまたは複数の情報デバイス、および/またはその同等物などの、広範なサブネットワークおよび/またはプロトコルのどれかであり、それらを利用することができる。
【０１９８】
ネットワークインターフェース-情報デバイスをネットワークに結合することができる物理および/または論理デバイス、システム、および/またはプロセス。例示的なネットワークインターフェースは、電話、携帯電話、セルラーモデム、電話データモデム、ファクスモデム、ワイヤレストランシーバ、通信ポート、Ethernet（登録商標）カード、ケーブルモデム、デジタル加入者回線インターフェース、ブリッジ、ハブ、ルーター、または他の類似のデバイス、そのようなデバイスを管理するためのソフトウェア、および/またはそのようなデバイスの機能を実現するためのソフトウェアを備える。
【０１９９】
非オーバーラップ-一部の上に延在すること、または覆うことがない。
【０２００】
物体、対象、被写体-現実の、知覚可能な、および有形の離散的なもの。
【０２０１】
オフセット-与えられた地点または領域に近いが、それとは区別可能である配置にある。
【０２０２】
1つ-単一ユニット、個別、および/またはもの、品、および/または物体の全体であること、または合計するとそうなること。
【０２０３】
のみ-実質的にさらにいかなるものも含まない。
【０２０４】
眼科(の、用)-眼の、および/または眼に関係する。
【０２０５】
動作する、操作する-機能を実行し、および/または仕事をする。
【０２０６】
対向する、反対の-向かい側の、対抗する、2つの補完的な、または相互排他的なもののうちの他方である、反対側に、対照的に、釣り合いで、および/または別の何かからおよび/または互いから向かいに留置または配置される。
【０２０７】
光の、光学の-光、視界、および/または視覚的表現の、またはそれに関係する。
【０２０８】
重なる-一部の上に延在し、覆う。
【０２０９】
パケット-デジタルパケット交換ネットワークなどの、ネットワーク内の、および/またはネットワーク全体にわたる、などの伝送のため特定の形に編成された、送信されるべきデータおよび宛先アドレスなどの特定の制御情報を含む、データの束に対する一般的用語。
【０２１０】
知覚できる-人間の感覚で知覚が可能である。
【０２１１】
垂直-実質的な直角で交差し、または形成する、および/または軸に関して実質的に直角。
【０２１２】
位相-振動する、および/または反復するシステムの連続する状態および/またはサイクルの間の時間の関係(交流、1つまたは複数の光波、および/または音波など)、および固定された基準点、別のシステムの状態、および/または別のシステムのサイクル。
【０２１３】
写真(を撮る)-(n)反射された電磁放射線を集めて集束させることによって形成される画像。最も一般的な写真は反射された目に見える波長から形成されるものであり、人間の眼で見えるものの永久的記録を生成する。(v)画像を記録する。
【０２１４】
フォトリソグラフィ-感光性基材を事前設計された構造パターンおよび/または回路パターンなどのパターンに露光させ、基材の露光部分または未露光部分のいずれかを化学エッチングすることによって金属箔、流体回路、および/またはプリント回路を作成できるプロセス。
【０２１５】
光子-光および/または他の電磁放射線の量子を表す粒子であり、粒子はゼロの静止質量を有し、放射線の振動数に比例するエネルギーを帯びている。
【０２１６】
物理(的)-有形の、現実の、および/または実際の。
【０２１７】
物理(的)-有形の、現実の、および/または実際の。
【０２１８】
物理的に-有形の、現実の、および/または実際の様式で存在している、起きている、生じている、作用している、および/または動作している。
【０２１９】
物理的に-有形の、現実の、および/または実際の様式で存在している、起きている、生じている、作用している、および/または動作している。
【０２２０】
圧電-機械的応力の作用を受ける誘電体結晶中に電気および/または電気極性を発生すること、および/または印加された電圧の作用を受けるそのような結晶中に応力を発生すること。
【０２２１】
ピストン-シリンダタイプの作動室の周囲を取り囲む壁と相対的に摺動して封止する係合を有する作動部材。ピストンの主要部は、以下のように定められる端面部分と側壁部分とからなる。
【０２２２】
留置する-特定の場所および/または位置に置く。
【０２２３】
複数の-複数である、および/または1つより多い状態。
【０２２４】
点、指す-(n)少なくとも2次元のシステムおよび/または幾何学的に記述された集合内の要素の定義された物理的および/または論理的な配置、および/または時間座標と非時間座標とを有する測定または測定の表現、(v)位置および/または方向を示す。
【０２２５】
部分-より大きな全体より小さい一部、コンポーネント、セクション、パーセンテージ、比、および/または数量。視覚的、物理的、および/または仮想的に区別可能および/または非区別可能であるものとしてよい。
【０２２６】
位置決めする-適切な場所または適切な位置に置く。
【０２２７】
パワー(度数、屈折力、力、動力)-視覚システム、眼、レンズ、および/またはレンズ補助眼が屈折、拡大、分離、収束、および/または発散を行う能力の尺度、および/または必要屈折力、等価屈折力、屈折度数、焦点屈折力、屈折力、表面指数、および/または輻輳力などのいずれかの屈折力を指すことができる一般的用語、および/または単位時間当たりの仕事の量として表され、一般的にワットおよび馬力などの単位で測定される、エネルギー、エネルギーおよび/または仕事の尺度、および/または仕事がなされる率。
【０２２８】
(事)前-予め、および/または事前に生じている活動の前に付ける接頭辞。
【０２２９】
所定の-事前に確立される。
【０２３０】
確率-出現の可能性の定量的表現。
【０２３１】
プロセッサ-ハードウェア、ファームウェア、および/またはソフトウェアを利用し、特定の実回路を形成する複数の論理ゲート上で動作するブール論理を介して、機械実装可能命令セットによって定義された特定のタスクを実行するように物理的に適合可能である機械。プロセッサは、機械、空気圧、油圧、電気、磁気、光、情報、化学、および/または生物学の原理、機構、順応、信号、入力、および/または出力を利用してタスクを実行することができる。いくつかの実施形態において、プロセッサは、情報を操作し、分析し、修正し、および/または変換し、機械実装可能命令および/または情報デバイスによる使用のため情報を送信し、および/またはその情報の出力デバイスへの経路選択を実行することによって情報に基づき動作することができる。プロセッサは、中央演算処理装置、ローカルコントローラ、リモートコントローラ、並列コントローラ、および/または分散コントローラなどとして機能し得る。断りのない限り、プロセッサは、Intel Corporation(カリフォルニア州サンタクララ所在)によって製造されているPentium（登録商標）マイクロプロセッサファミリなどの、マイクロコントローラおよび/またはマイクロプロセッサなどの、汎用デバイスであってよい。いくつかの実施形態において、プロセッサは、そのハードウェアおよび/またはファームウェアで本明細書で開示されている一実施形態の少なくとも一部を実装するように設計されている特定用途向け集積回路(ASIC)またはフィールドプログラマブルゲートアレイ(FPGA)などの専用デバイスであってもよい。プロセッサは、コントローラ上に配置され、コントローラの能力を使用することができる。
【０２３２】
プログラムにより-プログラムおよび/または命令の、プログラムおよび/または命令に関係する、またはプログラムおよび/または命令を有する。
【０２３３】
見積もる-算出する、推定する、または予測する。
【０２３４】
提供する、もたらす、供給する、備える-備え付ける、供給する、与える、および/または利用可能にする。
【０２３５】
引き起こす-もたらす、原因となる、誘発する、および/または生じさせる。
【０２３６】
近接-近い、および/または隣にあるという状態、質、感覚、および/または事実、一方のものと別のものとの近さ。
【０２３７】
放射状、半径方向-共通の中心から放射状に広がる、および/または共通の中心に収束する、および/またはそのように配置構成されるか、またはそのように放射状に広がる部分を有するか、またはそのような部分によって特徴付けられることに関係する。
【０２３８】
受信する、受ける-信号として得る、取る、取得する、および/または得る。
【０２３９】
受信機-通信システムによって送られるデータおよび/または送信機によって送信された信号を受け入れる、受信する、および/または捕捉するように適合された装置。
【０２４０】
推奨する-示唆する、賞賛する、推薦する、および/または保証する。
【０２４１】
記録する-(v)有形の媒体上で情報を集める、捕捉する、格納する、および/または保存する。
【０２４２】
縮小する、低減する-より少なくおよび/またはより小さくする、および/またはより少なくおよび/またはより小さくなる。
【０２４３】
レンダリングする-例えば、物理的、化学的、生物学的、電子的、電気的、磁気的、光学的、音響的、流体的、および/または機械的などの様式で、情報を、人間が知覚できる形態、例えば、データ、コマンド、テキスト、グラフィックス、オーディオ、ビデオ、アニメーション、および/またはハイパーリンクなどの形態に、ディスプレイ、モニター、電子ペーパー、人工眼、人工内耳、スピーカー、バイブレータ、撹拌機、力フィードバックデバイス、スタイラス、ジョイスティック、ステアリングホイール、手袋、送風機、加熱装置、冷却装置、ピンアレイ、触知できるタッチスクリーンなどの、視覚的、音響的、および/または触覚的な手段および/または記述などを介して、変換する。
【０２４４】
繰り返して-再三再四、反復的に。
【０２４５】
要求する-要望を表明する、および/または求める。
【０２４６】
抵抗器-オームの法則に従って2つの端子の間に電圧降下を生じさせることによって電流に対抗する2端子電子コンポーネント。
【０２４７】
解像度-画像の鮮明度。
【０２４８】
リング-閉ループ(例えば、長円、円、不規則な曲線、多角形など)をループの外部の固定された直線の周りで回転させることによって生成されているものとして映像化され得る実質的にドーナツ形の物体。
【０２４９】
シーン-動作が行われる、および/または注目する対象が存在している場所、観察者が見ている何か、および/または眺望および/または見通し。
【０２５０】
第2の-集合内の第1の要素の後に続く要素。
【０２５１】
選択する-代替えの中から選ぶ、または選択する。
【０２５２】
送信する、送る-運ぶ、ディスパッチする、通信する、および/または伝送する。
【０２５３】
感知する-自動的に検出または知覚する。
【０２５４】
センサ-物理的特性(例えば、圧力、温度、流量、質量、熱、光、音、湿度、近接度、位置、速度、振動、音の大きさ、電圧、電流、キャパシタンス、抵抗、インダクタンス、磁束、および/または電磁放射など)を自動的に感知し、知覚し、検出し、および/または測定し、その物理量を信号に変換するように適合されたデバイス。例として、位置センサ、近接スイッチ、歪みゲージ、光センサ、熱電対、レベル指示デバイス、速度センサ、加速度計、電圧計、電流計、オン/オフ指示計、および/または流量計などが挙げられる。
【０２５５】
センサ-物理的特性(例えば、圧力、温度、流量、質量、熱、光、音、湿度、近接度、位置、速度、振動、音の大きさ、電圧、電流、キャパシタンス、抵抗、インダクタンス、磁束、および/または電磁放射など)を自動的に感知し、知覚し、検出し、および/または測定し、その物理量を信号に変換するように適合されたデバイス。例として、位置センサ、近接スイッチ、歪みゲージ、光センサ、熱電対、レベル指示デバイス、速度センサ、加速度計、電圧計、電流計、オン/オフ指示計、および/または流量計などが挙げられる。
【０２５６】
分離されている-触れていない、および/または何かによって相隔てて並ぶ。
【０２５７】
サーバー-情報デバイスおよび/またはそこで実行されているプロセスであり、ネットワークに通信可能に結合されるように適合され、少なくとも1つのサービスを少なくとも1つのクライアントに対して、すなわち、ネットワークに通信可能に結合された少なくとも1つの他の情報デバイスに対して、および/またはネットワークに通信可能に結合された別の情報デバイス上で実行されている少なくとも1つのプロセスに対して提供するように適合されている。一例は、ファイルサーバーであり、これはローカルドライブを有し、リモートクライアントからのそのドライブ上のファイルの読み書き、および/または管理の要求を処理する。別の例は、電子メールサーバーであり、電子メールメッセージを受け付け、一時的に格納し、中継し、および/または配信する少なくとも1つのプログラムを備える。さらに別の例は、データベースサーバであり、データベースのクエリを処理する。さらに別の例は、デバイスサーバであり、これは情報デバイス、プリンタ、モデム、スキャナ、プロジェクタ、ディスプレイ、照明、カメラ、防犯設備、近接型リーダー、カードリーダー、キオスク、POS/小売店機器、電話システム、住宅用機器、HVAC機器、医療機器、実験装置、工業設備、工作機械、ポンプ、ファン、電動機駆動装置、秤、プログラム可能な論理コントローラ、センサ、データ収集装置、アクチュエータ、アラーム、アナンシエータ、および/または入出力デバイスなどの共有される物理的リソースおよび/またはデバイスへの、ネットワークに接続されおよび/またはプログラム可能なアクセス、および/または監視、管理、および/または制御を行う。
【０２５８】
セット、集合-関係のある複数。
【０２５９】
鮮明さ-鋭さおよび/または明確さ。
【０２６０】
信号(を送る)-(v)通信する、(n)活動に対する機械実装可能な命令などの情報、および/または1つもしくは複数の英字、単語、文字、記号、信号フラグ、画像表示、および/または特別な音などを符号化することができる、動力、エネルギー、圧力、流量、粘度、密度、トルク、衝撃、力、周波数、位相、電圧、電流、抵抗、起磁力、磁場強度、磁場の磁束、磁束密度、磁気抵抗、透磁率、屈折率、光の波長、偏光、反射率、透過率、位相シフト、濃度、および/または温度などの、空気圧、油圧、音響、流体、機械、電気、磁気、光学、化学、および/または生物学的変数などの、物理的変数の1つまたは複数の自動的に検出可能な変動。文脈に応じて、信号および/またはその信号の中に符号化された情報は、同期的である、非同期的である、ハードリアルタイムである、ソフトリアルタイムである、非リアルタイムである、連続的に生成される、連続的に変化する、アナログである、離散的に生成される、離散的に変化する、量子化される、デジタルである、ブロードキャストされる、マルチキャストされる、ユニキャストされる、送信される、運ばれる、受信される、連続的に測定される、離散的に測定される、処理される、符号化される、暗号化される、多重化される、変調される、拡散される、逆拡散される、復調される、検出される、逆多重化される、暗号解読される、および/または復号される、などとすることができる。
【０２６１】
立体角-共通点のところで交差する3つまたはそれ以上の平面が成す、3次元の角度。その大きさは、無単位尺度である、ステラジアンで測定される。部屋の隅は立体角を形成し、円錐の頂点もそうであり、頂点ですべて交差する円錐の滑らかな丸い表面を形成する無限数個の平面を想像するとよい。立体角は、一般的に写真測量法で使用される。
【０２６２】
専用コンピュータ-複数の論理ゲートを有するプロセッサデバイスを備えるコンピュータおよび/または情報デバイスであり、これらの論理ゲートの少なくとも一部は、プロセッサによる特定の機械実装可能命令の実装を介して、電圧、電流、電荷、位相、圧力、重さ、高さ、張力、レベル、間隙、位置、速度、運動量、力、温度、極性、磁場、磁力、帯磁方向、反射力、分子連鎖、分子量などの少なくとも1つの測定可能な物理特性の変化を受け、これにより、特定の機械実装可能命令を論理ゲートの特定の構成および特性に直接結び付ける。電子コンピュータの文脈において、論理ゲートのそれぞれのそのような変化は、特定の電気回路を生じさせ、それによって、特定の機械実装可能命令をその特定の電気回路に直接結び付ける。
【０２６３】
専用プロセッサ-複数の論理ゲートを有するプロセッサデバイスであり、これらの論理ゲートの少なくとも一部は、プロセッサによる特定の機械実装可能命令の実装を介して、電圧、電流、電荷、位相、圧力、重さ、高さ、張力、レベル、間隙、位置、速度、運動量、力、温度、極性、磁場、磁力、帯磁方向、反射力、分子連鎖、分子量などの少なくとも1つの測定可能な物理特性の変化を受け、これにより、特定の機械実装可能命令を論理ゲートの特定の構成および特性に直接結び付ける。電子コンピュータの文脈において、論理ゲートのそれぞれのそのような変化は、特定の電気回路を生じさせ、それによって、特定の機械実装可能命令をその特定の電気回路に直接結び付ける。
【０２６４】
球状の-球体の形状を近似する形状の、そのような形状に関係する、および/またはそのような形状を有する。
【０２６５】
バネ-圧縮されるか、または伸長された後に元の形状を取り戻し、機械的エネルギーを蓄積するために使用され、鋼鉄などの硬化された鍛造材料から多くの場合に作られる、ワイヤのコイル、折り曲げ筋、結合された板の集まり、座金などの柔軟性を有する弾性物体。バネの種類としては、コイルバネ、つる巻きバネ、円錐バネ、トーションバネ、引張バネ、圧縮バネ、板バネ、V字形バネ、ゼンマイ、バネ座金、ガススプリング、ゴムバンドなどが挙げられる。
【０２６６】
状態-状況の定性的および/または定量的記述、および/または識別された時間における構成要素の状況。
【０２６７】
格納する-データを、典型的にはメモリ内に留置し、保持し、および/または保つ。
【０２６８】
記憶デバイス、貯蔵デバイス-情報、エネルギー、および/または1つもしくは複数の物理的なものを、後で使用するおよび/または取り出すために格納、貯蔵するように適合されたデバイス。
【０２６９】
ストリップ-通常は実質的に均一な幅を有する比較的長い断片。
【０２７０】
構造物-特定の仕方で保持されおよび/または一緒にされる多数の部分から構成された何か。
【０２７１】
実質的に-かなりの範囲および/または程度で。
【０２７２】
基材-基礎を成す材料、領域、基部、層、段、薄層、コーティング、および/またはシート。
【０２７３】
十分に-所定の結果を得るのに必要な程度で。
【０２７４】
支持する-重さを、特に下から支える。
【０２７５】
表面-物体の外側境界および/またはそのような境界を構成するおよび/または類似する材料層。
【０２７６】
スイッチ、切り替える-(n)回路を開閉し、電気的経路を完成しおよび/または切断する、および/または経路および/または回路を選択する機械的、電気的、および/または電子的デバイス、(v)1つまたは複数の回路を形成する、開く、および/または閉じ、電気的および/または情報経路を形成する、完成する、および/または切断する、電源投入と電源切断とを交互に繰り返す、複数の利用可能な経路および/または回路から経路および/または回路を選択する、および/またはネットワーク内の(またはネットワーク間の)異なる伝送路セグメントの間の接続を確立する、(n)切り替えるように適合された機械的、電気的、および/または電子的デバイスなどの物理的デバイス。
【０２７７】
切り替える-(v)1つ複数の回路を形成する、開く、および/または閉じる、電気的および/または情報経路を形成する、完成する、および/または切断する、複数の利用可能な経路および/または回路から経路および/または回路を選択する、および/またはネットワーク内の(またはネットワーク間の)異なる伝送路セグメントの間の接続を確立する、(n)切り替えるように適合された機械的、電気的、および/または電子的デバイスなどの物理的デバイス。
【０２７８】
スイッチング速度-一方のCTO距離から他方のCTO距離に変えるのに要する時間。
【０２７９】
システム-機構、デバイス、機械、製造品、プロセス、データ、および/または命令の集合体であり、この集合体は1つまたは複数の特定の機能を実行するように設計されている。
【０２８０】
伝達(する)-(n)一方のデバイス、場所、および/または状態から他方への伝送、(v)一方のデバイス、場所、および/または状態から他方に伝える。
【０２８１】
変換する-測定可能な形態、外観、性質、および/または特徴を変える。
【０２８２】
送信する-信号として送る、提供する、支給する、および/または供給する。
【０２８３】
送信機-意味のある信号を、多くの場合光学的に、化学的に、音響的に、油圧を用いて、空気圧を用いて、電気的に、電子的に、および/または電磁波を介して、発生しおよび/または送信するデバイス。
【０２８４】
透明-クリアである、入射光を、その光の実質的部分を反射または吸収することなく伝えることを特徴とする、および/または向こう側にもしくは背後に配置されている体が明確に区別できる形で見えるように光線を物質に透過させる特性を有する。
【０２８５】
固有の-分離し、明確に異なる。
【０２８６】
使用者-本明細書で説明されているデバイス、システム、プロセス、方法、および/またはサービスの少なくとも一部を使用する着用者、加入者、顧客、プロバイダ、サーバー管理者などの、人、組織、プロセス、デバイス、プログラム、プロトコル、および/またはシステム。
【０２８７】
ユーザインターフェース-使用者に対して情報をレンダリングし、および/または使用者に情報を要求するためのデバイス。ユーザインターフェースは、テキスト、グラフィック、オーディオ、ビデオ、アニメーション、および/または触覚要素のうちの少なくとも1つを含む。テキスト要素は、例えば、プリンタ、モニター、ディスプレイ、プロジェクタなどによって提供され得る。グラフィック要素は、例えば、光、フラグ、ビーコンなど、モニター、ディスプレイ、プロジェクタ、および/または視覚的指示デバイスを介して、提供され得る。オーディオ要素は、例えば、スピーカー、マイクロフォン、および/または他の音声発生および/または受信デバイスを介して提供され得る。ビデオ要素またはアニメーション要素は、例えば、モニター、ディスプレイ、プロジェクタ、および/または他の視覚的デバイスを介して、提供され得る。触覚要素は、例えば、超低周波スピーカー、バイブレータ、触覚刺激装置、触覚パッド、シミュレータ、キーボード、キーパッド、マウス、トラックボール、ジョイスティック、ゲームパッド、ホイール、タッチパッド、タッチパネル、ポインティングデバイス、および/または他の触覚デバイスなどを介して提供され得る。ユーザインターフェースは、例えば、1つまたは複数の英字、数、記号などの1つまたは複数のテキスト要素を含み得る。ユーザインターフェースは、例えば、画像、写真、描画、アイコン、ウィンドウ、タイトルバー、パネル、シート、タブ、ドロワー、行列、表、フォーム、カレンダー、外観図、フレーム、ダイアログボックス、静的テキスト、テキストボックス、リスト、ピックリスト、ポップアップリスト、プルダウンリスト、メニュー、ツールバー、ドック、チェックボックス、ラジオボタン、ハイパーリンク、ブラウザ、ボタン、コントロール、パレット、プレビューパネル、色環、ダイアル、スライダー、スクロールバー、カーソル、ステータスバー、ステッパー、および/または進捗インジケータなどの、1つまたは複数のグラフィック要素を含み得る。テキストおよび/またはグラフィック要素は、外観、背景色、背景スタイル、境界線スタイル、境界線太さ、前景色、フォント、フォントスタイル、フォントサイズ、アライメント、行間隔、字下げ、最大データ長、検証、クエリ、カーソルタイプ、ポインタタイプ、オートサイジング、位置、および/または寸法などを選択する、プログラムする、調節する、変更する、指定するなどの操作を行うために使用され得る。ユーザインターフェースは、例えば、音量調節、ピッチ制御、速度制御、ボイスセレクター、および/またはオーディオの再生、速度、一時停止、早送り、巻き戻しなどを制御するための1つもしくは複数の要素などの1つまたは複数のオーディオ要素を含み得る。ユーザインターフェースは、例えば、ビデオの再生、速度、一時停止、早送り、巻き戻し、ズームイン、ズームアウト、回転、および/または傾斜などを制御する要素などの、1つまたは複数のビデオ要素を含み得る。ユーザインターフェースは、例えば、アニメーションの再生、一時停止、早送り、巻き戻し、ズームイン、ズームアウト、回転、傾斜、色、強度、速度、頻度、外観などを制御する要素などの、1つまたは複数のアニメーション要素を含み得る。ユーザインターフェースは、例えば、触覚刺激、力、圧力、振動、運動、変位、温度などを利用する要素などの1つまたは複数の触覚要素を含み得る。
【０２８８】
弁-ポートおよび/または通路を開閉し、および/または塞ぐことによってパイプを通り、および/または開口を通る流れを調節するデバイス。
【０２８９】
変数、可変である-(n)関連する一組の値のどれかを取ることができる特性、パラメータ、および/または特徴、(adj)変わるおよび/または変化する可能性、変動の作用を受ける、および/または変わりやすい。
【０２９０】
可変焦点-単一の指定された光学系内で調節可能な焦点の質を有する。
【０２９１】
変化する-1つまたは複数の特性および/または属性を変える、変更する、および/または修正する。
【０２９２】
介して-〜を用いて、および/または利用して。
【０２９３】
視覚的-眼で見ることができる、可視である。
【０２９４】
電圧-(「電位差」および「起電力」(EMF)とも称される)電気回路の任意の2つの導体の間の電位の差および/または符号付きのボルト数(V)として表され、電気回路内の2点の間の符号付きの差として測定される量であり、これらの点の間でオーム単位の抵抗によって分けられたときに、オームの法則に従ってこれらの点の間を流れるアンペア単位の電流を与える。
【０２９５】
波面-実質的に予め定められている時間で波と実質的に同じように影響を受ける点を含む表面。
【０２９６】
重さ-重要さを示す値。
【０２９７】
いつ、〜したとき-時点において、および/またはその時間の間。
【０２９８】
ただし、-〜に関して、および、および/またはそれに加えて。
【０２９９】
ワイヤレス-送信機と受信機を接続する電線および/またはガイドを使用すること必要としない信号を送信し、および/またはソナー、無線、セルラー、セルラー無線、デジタルセルラー無線、ELF、LF、MF、HF、VHF、UHF、SHF、EHF、レーダー、マイクロ波、衛星マイクロ波、レーザー、赤外線などの通信技術を含むが、セマフォ、発煙信号、手話などの純粋に視覚的なシグナリングを除外する、アンテナによって(すなわち、無誘導媒体を介して)放出された電磁波を利用する、任意の通信技術であり、この通信技術は、例えば、約40Hz、6.010kHz、8.7MHz、4.518GHz、30GHz、などの間のすべての値を含む、また例えば、約100kHzから約100MHz、約30MHzから約1GHz、約3kHzから約300GHzなどの間のすべての部分範囲を含む、約1Hから約2×1014Hz(約200テラヘルツ)の範囲のベースバンドおよび/または搬送周波数を有する。ワイヤレス通信は、アナログおよび/またはデジタルデータ、信号、および/または伝送を含むことができる。ワイヤレス通信は、例えば、セルラーCDMA、TDMA、GSM（登録商標）、GPRS、UMTS、W-CDMA、CDMA2000、TD-CDMA、802.11a、802.11b、802.11g、802.15.1、802.15.4、802.16、および/またはBluetooth（登録商標）などの、複数のプロトコルのうちのどれかを介するものであってよい。
【０３００】
〜により、〜を伴って-〜に付随する。
【０３０１】
〜の中に、〜の範囲内で-〜の限度内で。
【０３０２】
着用される-着用者が身に着ける。
【０３０３】
小帯-毛様体を眼の水晶体と接続する線維性糸状体のリング。
【０３０４】
注記
さまざまな実質的に、また特に実用的で、有用な例示的実施形態が、本明細書において、テキストおよび/またはグラフィックを用いて説明されており、これは、当業者によって記載の主題を実装するために本発明者(ら)に知られている、もしあれば、最良の態様を含む。多数の可能な変更形態(例えば、修正形態、増強、装飾、改良、および/または強化など)、詳細(例えば、種、態様、ニュアンス、および/または綿密な仕上げなど)、および/または本明細書で説明されている1つもしくは複数の実施形態の等価物(例えば、代用、交換、組合せ、および/または代案など)のうちのどれかは、当技術分野全体の自分の専門技術および/または知識に頼り、過度の実験を行うことなく、本明細書を読んだ後に、当業者にとって明確なものとなると思われる。本発明者(ら)は、当業者がこのような変更形態、詳細、および/または等価形態を適切な方法で実装することを期待し、したがって、本発明者(ら)は、本明細書で特に説明されているのと違う形で記載の主題が実施されることを意図している。したがって、法律で許されていれば、記載の主題は、その記載の主題のすべての変更形態、詳細、および等価形態を含み、対象とする。さらに、法律によって許されていれば、本明細書で説明されている特性、機能、活動、物質、および/または構造要素、すべての可能な変更形態、詳細、およびその等価形態のすべての組合せは、本明細書に明確に別段の記載があるか、または明確に、特に否認されているか、または文脈により他の何らかの形で明確に否定されていることがない限り、記載の主題によって包含される。
【０３０５】
本明細書に記載されるあらゆる実施例、または例示的な言い回し(例えば、「など」の使用は、1つまたは複数の実施形態をわかりやすくすることを意図しているだけであり、断りのない限り記載の主題の範囲に制限を課すことはしない。本明細書におけるどのような言い回しも、記載の主題を記載の主題の実施に本質的であることを示すと解釈されるべきではない。
【０３０６】
したがって、本書の任意の部分(例えば、表題、分野、背景、概要、説明、要約、図面など)の内容に関係なく、請求項に関して、明示的な定義、主張、または反論などを介して、明確に反対のことが指定されていない限り、または文脈によって明確に否定されていない限り、本書および/または任意の文書の請求項でその優先権を主張していようと、元々提示されていようとそうでなかろうと、以下の通りである。
【０３０７】
特定の活動順序、物質の特定の組合せ、要素の特定の相互関係に対して、特定の説明されている特性、機能、活動、物質、または構造要素を含める必要はない。
【０３０８】
説明されている特性、機能、活動、物質、または構造要素はどれも「本質的ではない」。
【０３０９】
2つ以上の説明されている物質はいずれも、混合され、組み合わされ、反応し、分離され、および/または隔離され得る。
【０３１０】
説明されている特性、機能、活動、物質、および/または構造要素はどれも、集積化され、隔離され、および/または複製され得る。
【０３１１】
説明されている活動はどれも、手動で、半自動で、および/または自動的に実行され得る。
【０３１２】
説明されている活動はどれも繰り返され、どのような活動も複数の構成要素によって実行され、および/またはどのような活動も複数の管轄区域で実施され得る。
【０３１３】
説明されている特性、機能、活動、物質、および/または構造要素はどれも特に除外され、活動の順序は可変であり、および/または構造要素の相互関係は変化し得る。
【０３１４】
さまざまな実施形態を説明する文脈において「1つ(a、an)」、「前記(said)」、「その(the)」、および/または類似の指示対象を使用している場合(特に、本明細書で提示されている請求項の文脈において、またはその優先権を主張する文書において)、本明細書において特に断りのない限り、または文脈上明確に否定されていない限り、単数形と複数形の両方を含むものと解釈されるべきである。
【０３１５】
「含む」、「有する」、「含む(including)」、および「含む(containing)」という用語は、断りのない限り、制約のない表現(つまり、「限定はしないが、...を含む」を意味する)と解釈されるべきである。
【０３１６】
数または範囲が本明細書において説明される場合、特に断りのない限り、その数または範囲は近似である。本明細書の値の範囲の記載は、本明細書において断りのない限り、その範囲内に収まるそれぞれの個別の値を個々に参照する簡便法として使用されることを単に意図しており、それぞれの個別の値およびそのような個別の値によって定義されるそれぞれの個別の部分範囲は、本明細書に個々に記載されているかのように本明細書内に組み込まれ、および本明細書内に提示されているものとして明確に意味する。例えば、1から10の範囲が、暗黙のうちであっても説明される場合、断りのない限り、その範囲は必ずそれらの間のすべての値、例えば、1.1、2.5、3.335、5、6.179、8.9999などを含み、またそれらの間のすべての部分範囲、例えば、1から3.65、2.8から8.14、1.93から9などを含む。
【０３１７】
本明細書で説明されているか、または請求項に出現する語句(すなわち、1つまたは複数の語)の後に図面要素の番号が続く場合、その図面要素の番号は説明および請求項の範囲に関して例示的で非限定的である。
【０３１８】
本書または優先権を主張する任意の文書の請求項はいっさい、正確な語句「ための手段」の前に「〜する」が付かない限り、米国特許法第112条第6段落を行使することを意図していない。
【０３１９】
参照により本明細書に組み込まれている資料(例えば、米国特許、米国特許出願、書籍、論文など)中の情報は、法律によって許される完全に有効な範囲でしかしそのような情報と本明細書に記載されている他の陳述および図面との間に食い違いが存在しない範囲でのみ、その全体が参照により本明細書に組み込まれる。本明細書の請求項を無効にする食い違いを含む、その優先権を求める、そのような食い違いが生じた場合、そのような資料中のそのような食い違いのある情報はいずれも、特に、参照により本明細書に組み込まれない。
【０３２０】
本書の中で、またそれに関係する特許出願(その優先権を主張する特許出願を含む)の遂行中に、特許請求されている主題への参照は、そのときに係属中の特許請求されている主題の正確な言い回しをその特定の時点のみにおいて参照することを意図されている。
【０３２１】
したがって、本書のすべての部分(例えば、表題、分野、背景、概要、説明、要約、図面など)、および本明細書で使用される語句の提示されている定義は、性質上説明に役立つものとしてみなされ、制限するものとしてみなされるべきでない。本書に基づき発行する特許の請求項によって保護される主題の範囲は、本書の文脈からわかるように、その請求項(および法律上等価なすべてのもの)の言い回しおよびその請求項で使用される語句の提示された定義によってのみ定義され、制限される。
【符号の説明】
【０３２２】
5  毛様体筋
5b  毛様体筋
5c  毛様体筋
10  水晶体
15  嚢
20  嚢
25  おもり
25  輪
30  支持構造物
35  磁石
40  コイル
5000  システム
5100  キャリア
5110  第1のボタン
5115  第1の送信機
5120  第2のボタン
5125  第2の送信機
5210  第1のワイヤレス信号
5220  第2のワイヤレス信号
5300  受信機
5400  コントローラ
5500  電力貯蔵デバイス
5600  毛様体筋力変換装置
5700  眼科用デバイス
7000  システム
7100  ネットワークインターフェース
7200  プロセッサ
7400  命令
7300  メモリ
7500  入出力(I/O)デバイス
7600  ユーザインターフェース
【図１】
2015519932.tif 000003
【図２】
2015519932.tif 000004
【図３】
2015519932.tif 000005
【図４】
2015519932.tif 000006
【図５】
2015519932.tif 000007
【図６】
2015519932.tif 000008
【図７】
2015519932.tif 000009
【国際調査報告】
2015519932.tif 000010
2015519932.tif 000011
2015519932.tif 000012